(57)【特許請求の範囲】
【請求項１】
電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が対応する前記指示値になるように、前記指示値を補正する補正係数を算出する算出手段と、を備え、
前記算出手段は、所定期間毎に前記補正係数を算出し、
前記計測値取得手段は、前記計測値として、前記電力ラインに入出力される前記電力の積算電力量を計測する第１の電力量計から所定期間毎の前記積算電力量を取得し、
前記算出手段は、前記積算電力量が所定値を超えた場合に、前記積算電力量と、前記指示値を前記所定期間、積算した積算指示値とが所定の関係を満たす補正係数を求める、情報処理装置。
【請求項２】
電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が対応する前記指示値になるように、前記指示値を補正する補正係数を算出する算出手段と、を備え、
前記計測値取得手段は、前記電力ラインに入出力される前記電力の電力瞬時値を計測する第１の電力量計から前記計測値として少なくとも一つの前記電力瞬時値を取得し、
前記指示値取得手段は、前記計測値取得手段が少なくとも一つの前記電力瞬時値を取得した時の少なくとも一つの前記指示値を取得し、
前記算出手段は、前記第１の電力量計から取得した少なくとも一つの前記電力瞬時値、および当該電力瞬時値に対応する前記指示値を用いて前記補正係数を算出し、
前記算出手段は、
前記第１の電力量計から取得した複数の前記電力瞬時値の平均値と、複数の前記指示値の平均値とが所定の関係を満たす前記補正係数を求める情報処理装置。
【請求項３】
電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が対応する前記指示値になるように、前記指示値を補正する補正係数を算出する算出手段と、を備え、
前記計測値取得手段は、前記電力ラインに入出力される前記電力の電力瞬時値を計測する第１の電力量計から前記計測値として少なくとも一つの前記電力瞬時値を取得し、
前記指示値取得手段は、前記計測値取得手段が少なくとも一つの前記電力瞬時値を取得した時の少なくとも一つの前記指示値を取得し、
前記算出手段は、前記第１の電力量計から取得した少なくとも一つの前記電力瞬時値、および当該電力瞬時値に対応する前記指示値を用いて前記補正係数を算出し、
前記算出手段は、
前記第１の電力量計から取得した複数の前記電力瞬時値の積算値と、複数の前記指示値の積算値とが所定の関係を満たす前記補正係数を求める情報処理装置。
【請求項４】
請求項２または３に記載の情報処理装置において、
前記算出手段は、前記指示値、前記指示値の平均値または積算値を前記電力瞬時値、前記電力瞬時値の平均値または積算値で除して前記補正係数を算出する情報処理装置。
【請求項５】
請求項１から４のいずれか一項に記載の情報処理装置において、
前記電力ラインに入出力される電力に対応する、前記算出手段により算出された前記補正係数を関連付けて記憶する電力別補正係数記憶手段を備える情報処理装置。
【請求項６】
電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が対応する前記指示値になるように、前記指示値を補正する補正係数を算出する算出手段と、を備え、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記計測値取得手段は、前記第１電力ラインの電力瞬時値を計測する第１センサと、前記第２電力ラインの電力瞬時値を計測する第２センサから、前記第１センサと前記第２センサの各々について少なくとも一つの電力瞬時値を前記計測値としてそれぞれ取得し、
前記指示値取得手段は、前記第１センサおよび前記第２センサの各々について少なくとも一つの前記計測値を取得した時の少なくとも一つの前記指示値を取得し、
前記算出手段は、
前記第１センサおよび前記第２センサの各々について少なくとも一つの前記電力瞬時値と、当該計測値に対応する前記指示値とを用いて前記補正係数を算出する情報処理装置。
【請求項７】
請求項６に記載の情報処理装置において、
前記算出手段は、
前記第１センサおよび前記第２センサの各々について複数の前記電力瞬時値の平均値と、複数の前記計測値に対応する前記指示値の平均値をそれぞれ算出し、
複数の前記電力瞬時値の平均値と、複数の前記指示値の平均値とが所定の関係を満たす前記補正係数を求める情報処理装置。
【請求項８】
請求項６に記載の情報処理装置において、
前記算出手段は、
前記第１センサおよび前記第２センサの各々について複数の前記電力瞬時値の積算値と、複数の前記計測値に対応する前記指示値の積算値をそれぞれ算出し、
複数の前記電力瞬時値の積算値と、複数の前記指示値の積算値とが所定の関係を満たす前記補正係数を求める情報処理装置。
【請求項９】
電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が対応する前記指示値になるように、前記指示値を補正する補正係数を算出する算出手段と、を備え、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記計測値取得手段が、前記電力系統から前記電力ラインに供給される電力を計測する第２の電力量計と、前記第２電力ラインの電力瞬時値を計測する第２センサから電力瞬時値を前記計測値としてそれぞれ少なくとも一つずつ取得し、
前記指示値取得手段は、前記第２の電力量計および前記第２センサの各々について少なくとも一つの前記計測値を取得した時の前記指示値を取得し、
前記算出手段は、
前記第２の電力量計および前記第２センサの各々について少なくとも一つの前記電力瞬時値と、少なくとも一つの前記計測値に対応する前記指示値とを用いて前記補正係数を算出する情報処理装置。
【請求項１０】
請求項９に記載の情報処理装置において、
前記算出手段は、
前記第２の電力量計および前記第２センサの各々について複数の前記電力瞬時値の平均値と、複数の前記計測値に対応する前記指示値の平均値をそれぞれ算出し、
複数の前記電力瞬時値の平均値と、複数の前記指示値の平均値とが所定の関係を満たす前記補正係数を求める情報処理装置。
【請求項１１】
請求項９に記載の情報処理装置において、
前記算出手段は、
前記第２の電力量計および前記第２センサの各々について複数の前記電力瞬時値の積算値と、複数の前記計測値に対応する前記指示値の積算値をそれぞれ算出し、
複数の前記電力瞬時値の積算値と、複数の前記指示値の積算値とが所定の関係を満たす前記補正係数を求める情報処理装置。
【請求項１２】
請求項１から１１のいずれか一項に記載の情報処理装置において、
算出された前記補正係数を用いて前記指示値を補正する補正手段と、
前記電力ラインと、前記蓄電装置との間に電気的に接続される制御装置に、補正された前記指示値を送信する送信手段と、を備える情報処理装置。
【請求項１３】
請求項１から１２のいずれか一項に記載の情報処理装置において、
前記電力ラインに入出力される電力を計測する内部センサと、
前記指示値と前記内部センサの計測値を用いて、前記電力ラインに入出力される電力を制御する制御手段と、を備える情報処理装置。
【請求項１４】
請求項１３に記載の情報処理装置において、
前記制御手段は、算出された前記補正係数を用いて、前記指示値を補正する情報処理装置。
【発明の詳細な説明】
【技術分野】
【０００１】
本発明は、電力調整システム、情報処理装置、情報処理方法、およびプログラムに関し、特に、エネルギー関連装置から入出力される電力を調整する電力調整システム、情報処理装置、情報処理方法、およびプログラムに関する。
【背景技術】
【０００２】
蓄電池の充放電を制御する電力制御装置の一例が特許文献１に記載されている。特許文献１の電力制御装置は、電力系統からの交流電力および蓄電池からの直流電力の一方を優先的に用いて車載電池に充電する。
【０００３】
また、特許文献２に記載には、電力システムの性能を監視する制御装置の較正システムが記載されている。較正システムは、制御装置の較正中に使用される高精度電力計を具現する。較正システムのプロセッサは、較正時に、試験電圧を有する電力を源から制御装置に導き、第１の試験電圧に対応する少なくとも一つの出力の値と、測定されたパラメータの値をオフセット誤差に直接関係付けるように構成されている。
【先行技術文献】
【特許文献】
【０００４】
【特許文献１】特開２０１４−１３８５３４号公報
【特許文献２】特開２０１３−５３３７２６号公報
【発明の概要】
【発明が解決しようとする課題】
【０００５】
たとえば、需要家の蓄電池を用いて、電力系統向けの短周期調整力サービス（ガバナフリーや負荷周波数制御）等を行う場合、蓄電池の充放電制御の精度が求められる。
電力系統と負荷の間の電力ラインに蓄電池から入出力される電力制御を行うＰＣＳ（Power Conditioner System）は、指示値に従い出力制御を行うが、指示値とＰＣＳからの出力値とが異なる状況が発生し得る。これは需給調整に影響を及ぼす可能性があり、サービスの信頼度等の点で好ましくない。
【０００６】
本発明は上記事情に鑑みてなされたものであり、その目的とするところは、需要家において高精度な電力調整を実現する需給調整システム、情報処理装置、その情報処理方法、およびプログラムを提供することにある。
【課題を解決するための手段】
【０００７】
本発明の各側面では、上述した課題を解決するために、それぞれ以下の構成を採用する。
【０００８】
第一の側面は、情報処理装置に関する。
第一の側面に係る第１の情報処理装置は、
電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が、対応する前記指示値になるように、前記指示値を補正する補正係数を算出する算出手段と、を有し、
前記算出手段は、所定期間毎に前記補正係数を算出し、
前記計測値取得手段は、前記計測値として、前記電力ラインに入出力される前記電力の積算電力量を計測する第１の電力量計から所定期間毎の前記積算電力量を取得し、
前記算出手段は、前記積算電力量が所定値を超えた場合に、前記積算電力量と、前記指示値を前記所定期間、積算した積算指示値とが所定の関係を満たす補正係数を求める。
第一の側面に係る第２の情報処理装置は、
電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が対応する前記指示値になるように、前記指示値を補正する補正係数を算出する算出手段と、を有し、
前記計測値取得手段は、前記電力ラインに入出力される前記電力の電力瞬時値を計測する第１の電力量計から前記計測値として少なくとも一つの前記電力瞬時値を取得し、
前記指示値取得手段は、前記計測値取得手段が少なくとも一つの前記電力瞬時値を取得した時の少なくとも一つの前記指示値を取得し、
前記算出手段は、前記第１の電力量計から取得した少なくとも一つの前記電力瞬時値、および当該電力瞬時値に対応する前記指示値を用いて前記補正係数を算出し、
前記算出手段は、
前記第１の電力量計から取得した複数の前記電力瞬時値の平均値と、複数の前記指示値の平均値とが所定の関係を満たす前記補正係数を求める。
第一の側面に係る第３の情報処理装置は、
電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が対応する前記指示値になるように、前記指示値を補正する補正係数を算出する算出手段と、を有し、
前記計測値取得手段は、前記電力ラインに入出力される前記電力の電力瞬時値を計測する第１の電力量計から前記計測値として少なくとも一つの前記電力瞬時値を取得し、
前記指示値取得手段は、前記計測値取得手段が少なくとも一つの前記電力瞬時値を取得した時の少なくとも一つの前記指示値を取得し、
前記算出手段は、前記第１の電力量計から取得した少なくとも一つの前記電力瞬時値、および当該電力瞬時値に対応する前記指示値を用いて前記補正係数を算出し、
前記算出手段は、
前記第１の電力量計から取得した複数の前記電力瞬時値の積算値と、複数の前記指示値の積算値とが所定の関係を満たす前記補正係数を求める。
第一の側面に係る第４の情報処理装置は、
電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が対応する前記指示値になるように、前記指示値を補正する補正係数を算出する算出手段と、を有し、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記計測値取得手段は、前記第１電力ラインの電力瞬時値を計測する第１センサと、前記第２電力ラインの電力瞬時値を計測する第２センサから、前記第１センサと前記第２センサの各々について少なくとも一つの電力瞬時値を前記計測値としてそれぞれ取得し、
前記指示値取得手段は、前記第１センサおよび前記第２センサの各々について少なくとも一つの前記計測値を取得した時の少なくとも一つの前記指示値を取得し、
前記算出手段は、
前記第１センサおよび前記第２センサの各々について少なくとも一つの前記電力瞬時値と、当該計測値に対応する前記指示値とを用いて前記補正係数を算出する。
第一の側面に係る第５の情報処理装置は、
電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が対応する前記指示値になるように、前記指示値を補正する補正係数を算出する算出手段と、を有し、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記計測値取得手段が、前記電力系統から前記電力ラインに供給される電力を計測する第２の電力量計と、前記第２電力ラインの電力瞬時値を計測する第２センサから電力瞬時値を前記計測値としてそれぞれ少なくとも一つずつ取得し、
前記指示値取得手段は、前記第２の電力量計および前記第２センサの各々について少なくとも一つの前記計測値を取得した時の前記指示値を取得し、
前記算出手段は、
前記第２の電力量計および前記第２センサの各々について少なくとも一つの前記電力瞬時値と、少なくとも一つの前記計測値に対応する前記指示値とを用いて前記補正係数を算出する。
【００１２】
なお、以上の構成要素の任意の組合せ、本発明の表現を方法、装置、システム、記録媒体、コンピュータプログラムなどの間で変換したものもまた、本発明の態様として有効である。
【００１３】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１４】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障のない範囲で変更することができる。
【００１５】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１６】
上記各側面によれば、需要家において高精度な電力制御を実現する需給調整システム、情報処理装置、その情報処理方法、およびプログラムを提供することができる。
【図面の簡単な説明】
【００１７】
【図１】本発明の実施の形態に係る電力調整システムのシステム構成を概念的に示す図である。
【図２】本実施形態の情報処理装置を実現するコンピュータの構成の一例を示す図である。
【図３】本発明の実施の形態に係る情報処理装置の構成を論理的に示す機能ブロック図である。
【図４】本実施形態の情報処理装置の動作の一例を示すフローチャートである。
【図５】本実施形態の記憶装置のデータ構造の一例を示す図である。
【図６】本実施形態の記憶装置のデータ構造の一例を示す図である。
【図７】本実施形態の記憶装置のデータ構造の一例を示す図である。
【図８】本実施形態の情報処理装置の動作の一例を示すフローチャートである。
【図９】本実施形態の記憶装置のデータ構造の一例を示す図である。
【図１０】本実施形態の記憶装置のデータ構造の一例を示す図である。
【図１１】本発明の実施の形態に係る電力調整システムのシステム構成を概念的に示す図である。
【図１２】本実施形態の情報処理装置の動作の一例を示すフローチャートである。
【図１３】本実施形態の記憶装置のデータ構造の一例を示す図である。
【図１４】本発明の実施の形態に係る情報処理装置の構成を論理的に示す機能ブロック図である。
【図１５】本実施形態の記憶装置のデータ構造の一例を示す図である。
【図１６】本実施形態の情報処理装置の動作の一例を示すフローチャートである。
【図１７】本発明の実施の形態に係る電力調整システムのシステム構成を概念的に示す図である。
【図１８】本実施形態の情報処理装置の動作の一例を示すフローチャートである。
【図１９】本実施形態の情報処理装置の動作の一例を示すフローチャートである。
【図２０】本発明の実施の形態に係る電力調整システムのシステム構成を概念的に示す図である。
【図２１】本発明の実施の形態に係る情報処理装置の構成を論理的に示す機能ブロック図である。
【図２２】本実施形態の温度別補正係数データベースの各テーブルのデータ構造の一例を示す図である。
【図２３】本実施形態の情報処理装置の動作の一例を示すフローチャートである。
【図２４】本発明の実施の形態に係る電力調整システムのシステム構成を概念的に示す図である。
【図２５】本発明の実施の形態に係る情報処理装置の構成を論理的に示す機能ブロック図である。
【図２６】本実施形態の電力別補正係数データベースの電力別補正係数テーブルのデータ構造の一例を示す図である。
【図２７】本実施形態の情報処理装置の動作の一例を示すフローチャートである。
【図２８】本実施形態の情報処理装置の動作の一例を示すフローチャートである。
【図２９】本発明の実施の形態に係る情報処理装置の構成を論理的に示す機能ブロック図である。
【図３０】本実施形態の情報処理装置の動作の一例を示すフローチャートである。
【図３１】本発明の実施の形態に係る情報処理装置の構成を論理的に示す機能ブロック図である。
【図３２】本発明の実施の形態に係る情報処理装置の構成を論理的に示す機能ブロック図である。
【図３３】本実施形態の情報処理装置の動作の一例を示すフローチャートである。
【図３４】本発明の実施の形態に係る情報処理装置の構成を論理的に示す機能ブロック図である。
【発明を実施するための形態】
【００１８】
以下、本発明の実施の形態について、図面を用いて説明する。尚、すべての図面において、同様な構成要素には同様の符号を付し、適宜説明を省略する。
【００１９】
（第１の実施の形態）
本発明の第１の実施の形態に係る電力調整システム、情報処理装置、情報処理方法およびプログラムについて、以下説明する。
図１は、本発明の実施の形態に係る電力調整システム１のシステム構成を概念的に示す図である。
以下の各図において、本発明の本質に関わらない部分の構成については省略してあり、図示されていない。
【００２０】
電力調整システム１は、蓄電池４０と、ＰＣＳ（Power Conditioner System）４２と、制御装置５０と、第１スマートメータＭ１と、を含む。
【００２１】
電力系統１０と負荷１２が、電力ライン２０により電気的に接続され、電力系統１０から負荷１２に電力が供給される。
負荷１２は、エアコン、照明機器、冷蔵庫、テレビ、電子レンジ、ドライヤー、パーソナルコンピュータ、ゲーム機、電話機、給湯器、電気自動車、およびプラグインハイブリッド自動車等、様々な電気機器の少なくとも一つであり、特に限定されない。
【００２２】
図１では、蓄電池４０を含むシステムを示しているが、これに限定されず、発電装置（不図示）を含むシステム、あるいは、蓄電池４０と発電装置の両方を含むシステムであってもよい。
【００２３】
電力系統１０の周波数（以下、「系統周波数」とも呼ぶ）は、電力系統１０内の発電設備（不図示）の出力や需要家負荷の電力消費に応じて変動する。また、電力系統１０内には、発電設備と、電力を消費する負荷以外に、電力を充放電する蓄電設備も存在する。近年、一般家庭でも発電装置や蓄電装置が普及しつつあり、電力系統１０の電力の需要と供給を一致させ、系統周波数を一定に保つために、様々な規模、様々な形態の多数のエネルギー関連装置（発電装置および蓄電装置）を統合的に制御する必要がある。
【００２４】
系統周波数を基準値に保持する制御を行うための需給調整のための制御信号が、中央給電指令所の管理装置３から送信される。この制御信号に従った、各需要家の蓄電池４０や発電装置の統合的な入出力制御により、電力調整システム１は、電力需給調整を行うことができる。
【００２５】
各需要家の制御装置５０は、中央給電指令所の管理装置３からの制御信号を、蓄電池中給のサーバ５を経由して受信し、蓄電池４０の充放電（または発電装置の出力）を制御する。制御信号は、たとえば、ＬＦＣ（Load Frequency Control）信号を含むが、これに限定されない。
【００２６】
ＰＣＳ４２は、電力ライン２０を流れる電力の電流値を計測する第１センサＳ１（系統ＣＴとも呼ぶ）と、ＰＣＳ４２から電力ライン２０に入出力する電力の電流値を測定する内部センサＳ０と、図示されない発電装置から出力される電力の電流値を計測するＰＶ（PhotoVoltaics）センサ（ＰＶＣＴとも呼ぶ）と、から取得される計測値と、中央給電指令所の管理装置３からの制御信号等に基づいて、蓄電池４０の充放電や発電装置の出力を制御する。なお、実際の電力制御は、別途系統電圧値の測定センサがあり、その電圧と上記電流（第１センサＳ１、内部センサＳ０、ＰＶＣＴ等）とを用いて、電力値に換算して実施する。以下で校正と説明する場合は、暗に、この電圧センサについても電流センサと、まとめて記載しているものとする。つまり電流センサの校正の話をする場合は、電流センサと関連する、たとえば、ＰＣＳ４２内の電圧センサを含めた電力値の校正を意味する。
【００２７】
ここで、ＰＣＳ４２による各需要家の電力制御の精度が低いと、電力系統１０の需給バランスに影響を及ぼす可能性がある。上述したように、たとえば、３つのセンサの電流値に基づいて蓄電池４０の充放電量がＰＣＳ４２により制御される。特に、ＰＣＳ４２に使用される内部センサＳ０は、コストを抑えたものであることが多く、その測定精度が低い可能性がある。また、各センサは、周辺の温度に応じて測定値に誤差が生じることも知られている。さらに、センサの経年劣化による精度低下も考えられる。
【００２８】
このように、各センサについて、その校正が定期的に行われるのが望ましい。本発明の実施の形態に係る情報処理装置１００は、特に、ＰＣＳ４２の内部センサＳ０を簡易に定期的に校正する手段を提供する。
【００２９】
図１の例では、ＰＣＳ４２と制御装置５０を分けて記載しているが、これらは物理的または論理的に分かれて構成されてもよいし、物理的または論理的に一体となって構成されてもよい。
【００３０】
情報処理装置１００は、制御装置５０およびＰＣＳ４２のいずれか一方、または、ＰＣＳ４２と制御装置５０が一体となった装置により実現されてもよいし、ＰＣＳ４２と制御装置５０でそれぞれ情報処理装置１００の機能を分担して実現してもよい。
【００３１】
本実施形態では、情報処理装置１００は、制御装置５０により実現される。
【００３２】
後述するように、情報処理装置１００は、内部センサＳ０を校正する代わりに、内部センサＳ０の計測値を元に制御されるべき電力ライン２０に入出力される電力を示す指示値を補正する補正係数を算出する。
【００３３】
制御装置５０により情報処理装置１００が実現される構成では、電力ライン２０に入出力される電力をＰＣＳ４２に指示する指示値に補正係数を乗じて、制御装置５０からＰＣＳ４２に指示値が送信される。そして、ＰＣＳ４２が受信した補正後の指示値に従い電力を制御することで内部センサＳ０の校正が実現する。
【００３４】
また、ＰＣＳ４２により情報処理装置１００が実現される構成では、ＰＣＳ４２が制御装置５０から受信した指示値に補正係数を乗じて電力制御に用いることで内部センサＳ０の校正が実現する。
【００３５】
図２は、本実施形態の情報処理装置１００（各装置：たとえば、制御装置５０、ＰＣＳ４２、または、ＰＣＳ４２と制御装置５０の一体型装置）を実現するコンピュータ８０の構成の一例を示す図である。また、本実施形態の第１スマートメータＭ１、および第２スマートメータＭ２も、コンピュータ８０により実現される。
なお、本実施形態の第１スマートメータＭ１は、第２の電力量計に相当し、第２スマートメータＭ２は、第１の電力量計に相当する。
【００３６】
本実施形態のコンピュータ８０は、ＣＰＵ（Central Processing Unit）８２、メモリ８４、メモリ８４にロードされた図２の構成要素を実現するプログラム９０、そのプログラム９０を格納するストレージ８５、Ｉ／Ｏ（Input/Output）８６、およびネットワーク接続用インタフェース（通信Ｉ／Ｆ８７）を備える。
【００３７】
ＣＰＵ８２、メモリ８４、ストレージ８５、Ｉ／Ｏ８６、通信Ｉ／Ｆ８７は、バス８９を介して互いに接続され、ＣＰＵ８２により情報処理装置１００全体が制御される。ただし、ＣＰＵ８２などを互いに接続する方法は、バス接続に限定されない。
【００３８】
メモリ８４は、ＲＡＭ（Random Access Memory）やＲＯＭ（Read Only Memory）などのメモリである。ストレージ８５は、ハードディスク、ＳＳＤ（Solid State Drive）、またはメモリカードなどの記憶装置である。
【００３９】
ストレージ８５は、ＲＡＭやＲＯＭなどのメモリであってもよい。ストレージ８５は、コンピュータ８０の内部に設けられてもよいし、コンピュータ８０がアクセス可能であれば、コンピュータ８０の外部に設けられ、コンピュータ８０と有線または無線で接続されてもよい。あるいは、コンピュータ８０に着脱可能に設けられてもよい。
【００４０】
ＣＰＵ８２が、ストレージ８５に記憶されるプログラム９０をメモリ８４に読み出して実行することにより、各実施形態の情報処理装置１００の各ユニットの各機能を実現することができる。
【００４１】
Ｉ／Ｏ８６は、コンピュータ８０と他の装置間のデータおよび制御信号の入出力制御を行う。さらに、Ｉ／Ｏ８６は、他の記録媒体の読み取りまたは書き込み装置（不図示）とのデータの入出力制御を行ってもよい。
【００４２】
通信Ｉ／Ｆ８７は、コンピュータ８０と外部の装置との通信を行うためのネットワーク接続用インタフェースである。通信Ｉ／Ｆ８７は、有線回線と接続するためのネットワークインタフェースでもよいし、無線回線と接続するためのネットワークインタフェースでもよい。たとえば、情報処理装置１００（たとえば、制御装置５０）を実現するコンピュータ８０は、通信Ｉ／Ｆ８７によりネットワーク７を介して蓄電池中給のサーバ５と接続される。あるいは、情報処理装置１００（たとえば、制御装置５０）実現するコンピュータ８０は、通信Ｉ／Ｆ８７により、第１スマートメータＭ１および第２スマートメータＭ２と無線通信する。
【００４３】
本発明の各実施形態の情報処理装置１００の各構成要素は、図２のコンピュータ８０のハードウェアとソフトウェアの任意の組合せによって実現される。そして、その実現方法、装置にはいろいろな変形例があることは、当業者には理解されるところである。以下説明する各実施形態の情報処理装置を示す機能ブロック図は、ハードウェア単位の構成ではなく、論理的な機能単位のブロックを示している。
【００４４】
図１に戻り、制御装置５０は、たとえば、ＥＭＳ（Energy Management System）であり、制御対象となる蓄電池４０により、具備する機能やその性能は様々であり、限定されない。
【００４５】
制御装置５０は、上述したように、蓄電池中給のサーバ５とネットワーク７を介して通信を行う機能を有し、サーバ５からの指示に従い、蓄電池４０を制御してもよい。制御装置５０とサーバ５との間の通信手段と対応プロトコルも様々であり、限定されないが、所定の認証および暗号化処理によりセキュリティが確保された上で接続される。
【００４６】
第１スマートメータＭ１は、電力会社から需要家に支給される。第１スマートメータＭ１は電力量計（不図示）と、通信部（不図示）とを含む。第１スマートメータＭ１は、送配電ネットワークを経由して需要家宅に供給される電力の消費量（または、需要家宅から逆潮流される電力量）を計測する。電力量計により計測された検針データは、通信部により、第１スマートメータＭ１から電力会社のサーバ（不図示）に、所謂Ａルートを経由して無線通信で定期的（たとえば、３０分間隔）に送信される。この検針データは、電気料金の計算等に使用される。
【００４７】
第１スマートメータＭ１の通信部は、さらに、所謂Ｂルートを経由して、需要家宅内の通信機器（たとえば、ＨＥＭＳ（Home Energy Management System）や本実施形態の制御装置５０等）と通信することができる。
【００４８】
Ｂルートの通信方法は、特に限定されないが、たとえば、９２０ＭＨｚ帯を使用する特定小電力無線方式、たとえば、Ｗｉ−ＳＵＮ等の通信規格に基づく通信方式、または、Ｚｉｇｂｅｅ（登録商標）等のＩＥＥＥ８０２．１５．４上で動作する無線通信規格の通信方式を利用できる。Ｂルートは、セキュリティを確保するために、所定の認証手続きを行った上で接続が確立する。
【００４９】
第１スマートメータＭ１は、たとえば、制御装置５０とＢルートで無線通信し、第１スマートメータＭ１から電力に関する計測値を需要家宅内の通信機器に送信することができる。
【００５０】
第１スマートメータＭ１から制御装置５０に送信される検針データは、限定されないが、たとえば、電力瞬時値、積算電力量の少なくともいずれか一方、ならびに、各値が測定（または算出）された時刻を示す時刻情報を含む。
【００５１】
本実施形態の電力調整システム１では、さらに、第２スマートメータＭ２が、ＰＣＳ４２から電力ライン２０に電力が入出力される電力ライン２２上に設置される。第２スマートメータＭ２は、電力量計（不図示）と、通信部（不図示）とを有していればよく、たとえば、スマートメータであってもよいが、これに限定されない。
【００５２】
図３は、本発明の実施の形態に係る情報処理装置１００の構成を論理的に示す機能ブロック図である。
本実施形態の情報処理装置１００は、計測値取得部１０２と、指示値取得部１０４と、算出部１０６と、を備える。
計測値取得部１０２は、電力系統１０と負荷１２の間の電力ライン２０に流れる電力に関する計測値を取得する。
指示値取得部１０４は、蓄電池４０から電力ライン２０に入出力すべき電力を示す指示値を取得する。
【００５３】
算出部１０６は、指示値に従い蓄電池４０から入出力される電力が制御されて電力ライン２０に入出力されたとき、計測値（ＰＣＳ４２から出力された電力［Ｗ］、または、ＰＣＳ４２に入力された電力［Ｗ］）が、対応する指示値になるように、指示値を補正する補正係数を算出する。
【００５４】
本明細書において、「取得」とは、自装置が他の装置や記憶媒体に格納されているデータまたは情報を取りに行くこと（能動的な取得）、たとえば、他の装置にリクエストまたは問い合わせして受信すること、他の装置や記憶媒体にアクセスして読み出すこと等、および、自装置に他の装置から出力されるデータまたは情報を入力すること（受動的な取得）、たとえば、配信（または、送信、プッシュ通知等）されるデータまたは情報を受信すること等、の少なくともいずれか一方を含む。また、受信したデータまたは情報の中から選択して取得すること、または、配信されたデータまたは情報を選択して受信することも含む。
【００５５】
計測値取得部１０２が取得する計測値は、以下に例示される。
（１）第２スマートメータＭ２で計測されるＰＣＳ４２から電力ライン２０に入出力される電力の積算電力量（Ｗｈ）
（２）第２スマートメータＭ２で計測されるＰＣＳ４２から電力ライン２０に入出力される電力の瞬時値（Ｗ）
（３）電力ライン２０の電力系統１０側に流れる電力の電流値（第１センサＳ１の計測値）
（４）電力ライン２０の負荷１２側に流れる電力の電流値（図１０の第２センサＳ２の計測値）
（５）第１スマートメータＭ１で計測される積算電力量（Ｗｈ）
（６）第１スマートメータＭ１で計測される電力瞬時値（Ｗ）
【００５６】
第２スマートメータＭ２の計測値は、Ｂルート経由の無線通信で第２スマートメータＭ２から制御装置５０に送信される。したがって、情報処理装置１００がＰＣＳ４２によって実現される他の実施形態では、第２スマートメータＭ２の計測値は、制御装置５０にＢルート経由の無線通信で送信された後、制御装置５０からＰＣＳ４２に有線若しくは無線通信により送信され、計測値取得部１０２により取得される。
【００５７】
また、後述する実施形態において、第１センサＳ１または図１１の第２センサＳ２の計測値は、ＰＣＳ４２に入力される。したがって、情報処理装置１００が制御装置５０によって実現される形態では、ＰＣＳ４２に入力された後、ＰＣＳ４２から制御装置５０に有線若しくは無線通信により送信され、計測値取得部１０２により取得される。
【００５８】
指示値取得部１０４が取得する指示値は、制御装置５０からＰＣＳ４２に送信される値である。本実施形態では、情報処理装置１００は制御装置５０によって実現されるので、指示値取得部１０４は、制御装置５０が保持している指示値を取得する。情報処理装置１００がＰＣＳ４２によって実現される形態では、指示値取得部１０４は、制御装置５０から指示値を受信する。
【００５９】
また、上述したように、情報処理装置１００が制御装置５０により実現される本実施形態では、指示値に補正係数が乗算されて補正後の指示値が制御装置５０からＰＣＳ４２に送信される。情報処理装置１００がＰＣＳ４２により実現される形態では、指示値に補正係数を乗算して補正し、補正された指示値に基づいて、ＰＣＳ４２が蓄電池４０の充放電を制御することで、電力ライン２０に入出力される電力が指示値に等しくなる。
【００６０】
算出部１０６は、所定期間毎に補正係数を算出する。
なお、計測値取得部１０２で計測値を取得する時間間隔も所定期間としてよいが、必ずしも同じでなくてもよい。たとえば、計測値取得部１０２は、３０分毎に計測値を取得し、算出部１０６は６０分毎に補正係数を算出してもよい。その場合、算出部１０６は、計測値取得部１０２が３０分毎に取得した２つの計測値を用いて補正係数を算出する。
【００６１】
本実施形態では、所定期間は３０分とするが、これに限定されない。たとえば、４５分、６０分等でもよいが、時間経過に応じたＰＣＳ４２周辺の温度差によって、各センサの計測値に、許容範囲を超える誤差が生じるタイミングで補正係数が見直されるのが望ましい。たとえば、所定期間を朝９時から１２時までの３時間とした場合、この間の温度変化が大きく、計測値に許容範囲を超える誤差が生じる可能性があるので、所定期間は３０分等として、比較的短いスパンで補正係数を更新した方がよい。
【００６２】
本実施形態において、第２スマートメータＭ２は、ＰＣＳ４２から電力ライン２２に入出力される電力を計測し、Ｂルートを経由して制御装置５０に計測値を送信する。本実施形態では、第２スマートメータＭ２からＰＣＳ４２に計測値を送信するタイミングは、ＰＣＳ４２から第２スマートメータＭ２に対し、計測値を要求した時であるが、これに限定されない。第２スマートメータＭ２から制御装置５０に対し、所定期間毎に計測値を送信する構成としてもよい。
【００６３】
計測値取得部１０２は、計測値として、第２スマートメータＭ２から所定期間毎の積算電力量を取得する。計測値取得部１０２が第２スマートメータＭ２から電力瞬時値を取得する構成については、後述する実施形態で説明する。
【００６４】
本実施形態では、第２スマートメータＭ２と制御装置５０の間は、９２０ＭＨｚ帯を使用する特定小電力無線方式（以後、９２０ＭＨｚ通信と呼ぶ）で無線通信されている。そのため、近辺で他の装置が９２０ＭＨｚ通信を行っている間は通信ができなかったり、通信品質は保証されていないため、時間間隔を空けて計測値を読み取り、エラー時にリトライできる余裕があるのが好ましい。
【００６５】
第２スマートメータＭ２から送信される積算電力量は、送信時点での第２スマートメータＭ２での検針値である。したがって、計測値取得部１０２は、前回（３０分前）の読み込み値と今回の読み込み値の差分（Ｗ）を算出し、各値の時刻情報を用いて所定期間（３０分間）の積算電力量（Ｗｈ）を算出する。
【００６６】
以後、本明細書では、計測値取得部１０２が取得した検針値から積算電力量を算出する処理については説明を省略し、「積算電力量」を計測値取得部１０２が取得する計測値として説明する。
【００６７】
本実施形態において、算出部１０６は、積算電力量が、所定値を超えた場合に、所定期間（たとえば、３０分間）毎の積算電力量と、対応する指示値を所定期間、積算した積算指示値とが所定の関係を満たす補正係数を算出する。
【００６８】
ここで、所定値とは、第２スマートメータＭ２の計測値の有効桁数の所定倍数（たとえば、１００倍）である。
言い換えると、第２スマートメータＭ２の計測誤差を許容できる範囲の計測値が得られた時に、補正係数の算出に計測値を使用する。たとえば、第２スマートメータＭ２の有効桁数が１０Ｗｈの場合、計測値が１００Ｗｈでは、誤差が約１０％含まれる可能性がある。計測値が１０００Ｗｈでは、誤差は約１％程度となる。本実施形態では、第２スマートメータＭ２の有効桁数の所定倍数を超える計測値を算出に用いる。
【００６９】
したがって、要求される精度（誤差の許容範囲等）に合わせて所定値を設定することで、要求水準を満たす電力調整システム１を提供することができる。
【００７０】
なお、上述した所定期間が短いと、第２スマートメータＭ２の計測値の積算電力量の値が第２スマートメータＭ２の有効桁数の所定倍数（たとえば、１００倍）を超えない可能性がある。従って、所定期間は、第２スマートメータＭ２の計測値が第２スマートメータＭ２の有効桁数の所定倍数を超える長さに延長するのが好ましい。
【００７１】
したがって、所定期間を経過後に、積算電力量が所定値を超えていない場合は、さらに、積算を続け、積算電力量が所定値を超えた後に、補正係数を算出する。
【００７２】
また、少なくとも、１日の温度変化が激しい（単位時間当たりの温度変化が第１閾値以上の）時間帯に計測値の取得が行われるように、計測タイミングが設定されるのが好ましい。計測値取得のタイミングは、予めスケジューリングしてもよいし、温度変化や計測値に応じて、スケジュールを更新してもよい。
【００７３】
たとえば、温度変化が激しい場合は、計測タイミングの間隔を短く設定し、温度変化があまりないような場合（単位時間当たりの温度変化が第２閾値未満（第１閾値＞第２閾値））には、計測タイミングの間隔を長く設定し、計測値が所定値未満の場合は、計測タイミングの間隔を長く設定し、計測値が所定値を超える場合は、計測タイミングの間隔を短く設定してもよい。
予め決められた所定期間やスケジュールで取得された計測値が、所定値を超えていない場合は、積算を継続し、所定値を超えた時点以降に補正係数を算出すればよい。
【００７４】
また、本実施形態では、制御装置５０が一つの指示値ｘを用いる例について説明するが、他の例では、指示値ｘは、たとえば、需要家利用の電力を調整するために蓄電池４０の充放電を制御する指示値ｘ１と、需給調整用に蓄電池４０の充放電を制御する指示値ｘ２等、複数の指示値を含んでもよい。
【００７５】
指示値ｘの積算時間ｚ分の積算指示値Ｃ（ｚ）は以下の式（１）で示される。積算時間ｚは所定期間または積算電力量が積算された時間（たとえば、３０分）である。積算電力量の積算時間が所定期間を超えた場合は、ｚは積算時間（たとえば、所定期間の３０分を８分超えた場合、３８分）となる。
【数１】
0006747060.tif 000002
【００７６】
ここで、内部センサＳ０の校正前の積算電力量が誤差αを含むとすると、その誤差αを補正する補正係数をＡとする。以下の式（２）に示されるように、積算指示値Ｃ（ｚ）に算出された補正係数Ａを乗じたとき、第２スマートメータＭ２で計測される計測値Ｄ（ｚ）は、指示値に等しくなる。
【数２】
0006747060.tif 000003
【００７７】
ここで、補正係数Ａは、１／誤差αである。また、誤差αは、補正前の第２スマートメータＭ２で計測される計測値Ｄ（ｚ）を積算指示値Ｃ（ｚ）で除した値で示される。したがって、補正係数Ａは、１／誤差αであるので、積算指示値Ｃ（ｚ）を補正前の第２スマートメータＭ２で計測される計測値Ｄ（ｚ）で除した値となる。
補正係数の算出方法は、これに限定されず、算出部１０６は、積算電力量（計測値）Ｄ（ｚ）と、積算指示値Ｃ（ｚ）とが所定の関係を満たす補正係数Ａを求めてもよい。
【００７８】
所定の関係とは、上記例の他に、計測値の有効桁数未満を切り捨てた値や切り上げた値や四捨五入した値と積算指示値Ｃ（ｚ）に補正係数Ａを乗じたとき、第２スマートメータＭ２で計測される計測値Ｄ（ｚ）が等しくなる例も含む。
【００７９】
以下、本発明の実施の形態に係るコンピュータプログラムについて説明する。
【００８０】
本実施形態のコンピュータプログラム９０は、情報処理装置１００を実現させるためのコンピュータ８０に、電力系統１０と負荷１２の間の電力ライン２０に流れる電力に関する計測値を取得する手順、蓄電池４０から電力ライン２０に入出力すべき電力を示す指示値を取得する手順、指示値に従い蓄電池４０から入出力される電力が制御されて電力ライン２０に入出力されたとき、計測値が、対応する指示値になるように、指示値を補正する補正係数を算出する手順、を実行させるように記述されており、計測値を取得する手順において、第２スマートメータＭ２から所定期間（３０分間）の積算電力量（Ｗｈ）を取得し、算出する手順において、積算電力量が、所定値を超えた場合に、所定期間（たとえば、３０分間）毎の積算電力量と、対応する指示値を所定期間毎に積算した積算指示値とが所定の関係を満たす補正係数を算出するように記述されている。
【００８１】
本実施形態のコンピュータプログラム９０は、コンピュータ８０で読み取り可能な記録媒体に記録されてもよい。記録媒体は特に限定されず、様々な形態のものが考えられる。また、プログラム９０は、記録媒体からコンピュータ８０のメモリ８４にロードされてもよいし、ネットワークを通じてコンピュータ８０にダウンロードされ、メモリ８４にロードされてもよい。
【００８２】
コンピュータプログラム９０を記録する記録媒体は、非一時的な有形のコンピュータ８０が使用可能な媒体を含み、その媒体に、コンピュータ８０が読み取り可能なプログラムコードが埋め込まれる。コンピュータプログラム９０が、コンピュータ８０上で実行されたとき、コンピュータ８０に、情報処理装置１００を実現する以下の情報処理方法を実行させる。
【００８３】
このように構成された本実施形態の情報処理装置１００の情報処理方法について、以下説明する。
図４は、本実施形態の情報処理装置１００の動作の一例を示すフローチャートである。
本発明の実施の形態に係る情報処理方法は、情報処理装置１００の情報処理方法であり、情報処理装置１００を実現するコンピュータ８０により実行される情報処理方法である。
本実施形態の情報処理方法は、情報処理装置１００が、電力系統１０と負荷１２の間の電力ライン２０に流れる電力に関する計測値を取得し（ステップＳ１０１、ステップＳ１０７）、蓄電池４０から電力ライン２０に入出力すべき電力を示す指示値を取得し（ステップＳ１０３）、指示値に従い蓄電池４０から入出力される電力が制御されて電力ライン２０に入出力されたとき、計測値が、対応する指示値になるように、指示値を補正する補正係数を算出し（ステップＳ１１３）、さらに、ステップＳ１０１およびステップＳ１０７において、第２スマートメータＭ２から所定期間（３０分間）の積算電力量（Ｗｈ）を取得し、算出する際に、積算電力量が、所定値を超えた場合に（ステップＳ１０９のＹＥＳ）、所定期間（たとえば、３０分間）毎の積算電力量と、対応する指示値を所定期間毎に積算した積算指示値とが所定の関係を満たす補正係数を算出する（ステップＳ１１１、ステップＳ１１３）、ことを含む。
【００８４】
以下、詳細に説明する。
本フローチャートは、情報処理装置１００が起動した時に開始し、その後、繰り返し実行される。
まず、計測値取得部１０２が、第２スマートメータＭ２から積算電力量を所定期間毎に取得する（ステップＳ１０１）。取得した積算電力量は、時刻情報とともに図５（ａ）の記憶装置１１０の計測値記憶部１１２に記憶される。
【００８５】
次に、指示値取得部１０４が、指示値ｘを取得する（ステップＳ１０３）。この指示値ｘは、制御装置５０の機能として、蓄電池中給のサーバ５から受信する各種の制御信号と、需要家の負荷１２の消費電力量、蓄電池４０の充電量、およびＰＶ（不図示）の出力、系統ＣＴ、ＰＶＣＴ、内部センサＳ０等の計測値等に応じて決定される。
【００８６】
指示値ｘは、図６（ａ）の記憶装置１１０の指示値記憶部１１６に時刻情報に関連付けられて記憶される。この例では、１分毎の指示値を記憶しているが、これに限定されない。
【００８７】
そして、開始後、または前回の補正係数算出（ステップＳ１１５）後から、３０分間経過するまで（ステップＳ１０５のＮＯ）、指示値取得部１０４は、指示値ｘの取得を繰り返す。たとえば、指示値ｘは１分毎等に取得して指示値記憶部１１６に記憶してもよい。
【００８８】
あるいは、指示値ｘが所定値以上の変化があった時に、指示値記憶部１１６に記憶してもよい。積算指示値は、指示値ｘと時刻情報に基づいて、積算時間分の指示値に換算すればよい。たとえば、１２時の指示値ｘａと、１２時１０分の指示値ｘｂが記憶されており、１２時から１２時３２分が積算時間であった場合、積算指示値は、（ｘａ×１０／６０＋ｘｂ×２２／６０）×６０とすることができる。
【００８９】
そして、３０分間経過後に（ステップＳ１０５のＹＥＳ）、計測値取得部１０２は、第２スマートメータＭ２から積算電力量（ｋＷｈ）を受信する（ステップＳ１０７）。そして、算出部１０６は、積算電力量（ｋＷｈ）の前回と今回の計測値と、それらの時刻情報に基づいて、３０分間の積算電力量（Ｗｈ）を算出し、時刻情報（今回の計測値の時刻）に関連付けて、図５（ｂ）の記憶装置１１０の電力積算値記憶部１１４に記憶する。
【００９０】
具体的には、計測値取得部１０２が、１２時３０分の計測値（検針値）から１２時の計測値（検針値）を減算し、時刻情報から計測時間間隔を算出し、３０分間当たりの積算電力量（Ｗｈ）に換算する。
【００９１】
そして、算出部１０６が、算出された積算電力量が所定値を超えるか否かを判定する（ステップＳ１０９）。算出部１０６は、積算電力量が、所定値を超えた場合に（ステップＳ１０９のＹＥＳ）、積算時間分の指示値を積算して積算指示値を算出し、時刻情報に関連付けて、図６（ｂ）の記憶装置１１０の積算指示値記憶部１１８に記憶する（ステップＳ１１１）。
【００９２】
一方、ステップＳ１０９で、積算電力量が、所定値を超えない場合（ステップＳ１０９のＮＯ）、ステップＳ１０３に戻り、指示値取得部１０４が指示値を取得する（ステップＳ１０３）。ステップＳ１０９から戻った場合には、既に成功の補正係数の算出時から３０分間は経過しているので（ステップＳ１０５のＹＥＳ）、算出部１０６が第２スマートメータＭ２から計測値を取得する。
【００９３】
ここでは、先程、所定値を超えなかった積算電力量がさらに積算されていく。ステップＳ１０９では、前回補正係数を算出した時の計測値と、今回取得した計測値から、その間の積算電力量を算出する。そして、積算電力量が所定値を超えるまで、積算を続ける。
【００９４】
そして、ステップＳ１０９で、積算電力量が所定値を超えた場合（ステップＳ１０９のＹＥＳ）、上述したようにステップＳ１１１で積算指示値が算出される。このとき、所定期間を超えて計測値が積算された場合、時刻情報から積算時間を算出し、積算時間分の指示値を積算し、積算指示値を算出する。
【００９５】
このようにして算出された積算電力量と積算指示値を用いて、算出部１０６は、補正係数Ａを用いて指示値を補正した場合に、積算電力量が、積算指示値となるように、補正係数Ａを算出する（ステップＳ１１３）。具体的には、積算指示値を積算電力量で除して補正係数Ａを算出する。そして、算出部１０６は、算出された補正係数Ａを指示値ｘに乗算して指示値ｘを補正し、補正した指示値ｘをＰＣＳ４２に送信する（ステップＳ１１５）。そして、ステップＳ１０１に戻り、本処理を繰り返す。
【００９６】
図示してないが、ＰＣＳ４２では、指示値ｘを制御装置５０から受信し、受信した指示値ｘを用いて電力ライン２０に入出力する電力を制御する。これにより、内部センサＳ０の誤差が校正され、指示値ｘに一致した電力が電力ライン２０に入出力されることになる。
【００９７】
なお、本実施形態のフローチャートは一例であり、各ステップの手順の順序は上記フローに限定されない。ステップＳ１０１の計測値の取得手順と、ステップＳ１０３の指示値取得手順は、必ずしも一連の手順で行われなくてもよい。それぞれ独立して、または並列に実行されてもよい。
また、ステップＳ１１１、ステップＳ１１３、およびステップＳ１１５の手順も、必ずしも一連の手順で行われなくてもよい。それぞれ独立して実行されてもよい。
【００９８】
以上説明したように、電力調整システム１の情報処理装置１００において、計測値取得部１０２により取得される計測値が、指示値取得部１０４により取得される対応する指示値になるように、算出部１０６により補正係数Ａが算出される。
【００９９】
本実施形態では、計測値は、積算電力量であり、所定期間毎に取得された積算電力量を用いて補正係数を算出する。所定期間は、温度変化による計測値の誤差が許容範囲を超えないように定められ、かつ、積算電力量が、計測値の有効桁数を超える値となるように設定される。
【０１００】
この構成によれば、内部センサＳ０の校正を行う際、基準となる計測値の有効桁数を考慮して補正することができるので、その精度が向上する。また、要求される精度に合わせて積算電力量の所定値を設定することで、要求水準を満たす電力調整システム１を提供することができる。
このように、本実施形態の電力調整システム１および情報処理装置１００によれば、需要家において高精度な電力制御を実現することができる。
【０１０１】
（第２の実施の形態）
次に、本発明の第２の実施の形態について、以下説明する。
本実施形態の電力調整システム１および情報処理装置１００は、上記実施形態と同様な構成を有するので、図１および図３を用いて説明する。
本実施形態の情報処理装置１００は、上記実施形態とは、第２スマートメータＭ２から計測値として電力瞬時値を取得し、電力瞬時値を用いて補正係数を算出する点で相違する。
【０１０２】
上記実施形態では、少なくとも積算電力量が所定値（有効桁数の所定倍数）を超えるまで、補正係数の算出を待つ必要があった。そのため、電力消費量が少ない場合に、補正係数の算出タイミングの間隔が長くなってしまう可能性があった。補正係数の算出間隔が長いと、その間に大きな温度変化が起きる可能性が高くなり、温度変化によって内部センサＳ０に誤差が生じてしまう可能性がある。
そこで、本実施形態では、瞬時値を用いることで、補正係数の算出タイミングを任意の時刻に設定することを可能にする。
【０１０３】
本実施形態において、計測値取得部１０２は、第２スマートメータＭ２から、電力ライン２２に入出力される電力の電力瞬時値を計測値として少なくとも１つ取得する。
指示値取得部１０４は、計測値取得部１０２が少なくとも１つの電力瞬時値を取得した時の少なくとも１つの指示値をそれぞれ取得する。
算出部１０６は、第２スマートメータＭ２から取得した少なくとも１つの電力瞬時値、および電力瞬時値に対応する指示値を用いて補正係数Ａを算出する。
【０１０４】
算出部１０６は、複数の電力瞬時値の平均値、および複数の指示値の平均値をそれぞれ算出する。そして、算出部１０６は、当該算出された電力瞬時値の平均値と、対応する指示値の平均値とが所定の関係を満たす補正係数を算出する。または、算出部１０６は、第２スマートメータＭ２から取得した複数の電力瞬時値の積算値を算出してもよい。そして、算出部１０６は、当該算出された電力瞬時値の積算値と、対応する指示値の積算値とが所定の関係を満たす補正係数を算出してもよい。
【０１０５】
具体的には、算出部１０６は、指示値の平均値を電力瞬時値の平均値で除して補正係数Ａを算出する。あるいは、算出部１０６は、指示値の積算値を電力瞬時値の積算値で除して補正係数Ａを算出する。あるいは、算出部１０６は、少なくとも１つの指示値を少なくとも１つの電力瞬時値で除して補正係数Ａを算出してもよい。
【０１０６】
以下、より詳細に説明する。
計測値取得部１０２が、電力ライン２０から電力瞬時値を取得するタイミングは、たとえば、所定期間の所定時間内で、連続したタイミング（たとえば、３０分間の初めの１分間で数秒おきに１０回等）であるのが好ましい。
【０１０７】
指示値取得部１０４が、指示値を取得するタイミングは、計測値取得部１０２が計測値を取得したのと同じタイミングであるのが望ましい。ただし、必ずしも同時でなくてもよい。
【０１０８】
算出される平均値は、平均値、中央値等、複数の値を統計処理した値を含む。また、計測値取得部１０２が取得した計測値が０の場合、その計測値は演算から除外する。また、計測値取得部１０２が取得した計測値と対応する指示値との差が、指示値に対して所定割合以上の場合、その計測値は演算から除外する。また、計測値が０であるときは、計測値の誤差を考慮して、計測値の有効桁数より小さい値は０であるとしてよい。
【０１０９】
計測値が除外された場合、所定個数または所定積算出力値以上の計測値が取得されるまで、計測値取得部１０２は計測値を取得してもよい。このとき、たとえば、初めの有効な計測値が取得されてから所定時間（たとえば、３分以上）経過しても有効な計測値が所定個数取得できない場合、時間間隔を空けてから、再度、処理を開始してもよい。
【０１１０】
また、平均値を算出する計測値の個数は、計測値に応じて変更できてもよい。計測値の変動が少なく、ほぼ一定で、その標準偏差が第１所定値（第１所定割合）未満の場合、個数を少なくし（たとえば、３個）、また、取得タイミングの間隔を長く（たとえば、１０秒毎）してもよい。
【０１１１】
一方、計測値の変動が大きく、その標準偏差が第２所定値（第２所定割合）以上の場合（ここで、第２所定値（第２所定割合）＞第１所定値（第１所定割合））、個数を多くし（たとえば、２０個）、また、取得タイミングの間隔を短く（たとえば、１秒毎）してもよい。
【０１１２】
算出部１０６は、下記の各式を用いて指示値ｘの平均値Ｅ、第２スマートメータＭ２の計測値ｙの平均値Ｆ、および補正係数Ａを算出する。
【数３】
0006747060.tif 000004
Ａ＝Ｅ／Ｆ                      ・・・式（５）
【０１１３】
ここで、上記式（５）では、指示値ｘの平均値Ｅを第２スマートメータＭ２の計測値ｙの平均値Ｆで除して補正係数Ａを算出する。
補正係数の算出方法は、これに限定されず、算出部１０６は、第２スマートメータＭ２の計測値ｙの平均値Ｆと、指示値ｘの平均値Ｅとが所定の関係を満たす補正係数Ａを求めてもよい。
【０１１４】
所定の関係とは、上記例の他に、計測値の有効桁数未満を切り捨てた値や切り上げた値や四捨五入した値と指示値ｘの平均値Ｅに補正係数Ａを乗じた値を等しくする例も含む。また、積算値を用いる場合は、式（３）と式（４）の右辺のｎを除いた式を用いる。また、平均値を用いる場合、第２スマートメータＭ２の誤差を考慮し、平均値の値が所定の値以上となるまで、計測回数を増やしてもよい。
【０１１５】
以下、本発明の実施の形態に係るコンピュータプログラムについて説明する。
本実施の形態の情報処理装置１００は、コンピュータプログラムに対応する各種の処理動作をコンピュータ８０のＣＰＵ８２が実行することにより、前述のような各種ユニットが各種機能として実現される。
【０１１６】
本実施形態のコンピュータプログラムは、情報処理装置１００を実現させるためのコンピュータに、電力系統１０と負荷１２の間の電力ライン２０に流れる電力に関する計測値を取得する手順、蓄電池４０から電力ライン２０に入出力すべき電力を示す指示値を取得する手順、指示値に従い蓄電池４０から入出力される電力が制御されて電力ライン２０に入出力されたとき、計測値が、対応する指示値になるように、指示値を補正する補正係数を算出する手順、を実行させるように記述されており、計測値を取得する手順において、電力ライン２２に入出力される電力の電力瞬時値を計測する第２スマートメータＭ２から計測値として少なくとも一つの電力瞬時値を取得し、指示値を取得する手順において、少なくとも一つの電力瞬時値を取得した時の少なくとも一つの指示値を取得し、算出する手順において、第２スマートメータＭ２から取得した少なくとも一つの電力瞬時値、当該電力瞬時値に対応する指示値を用いて補正係数を算出するように記述されている。
【０１１７】
さらに、本実施形態のコンピュータプログラムは、コンピュータに、算出する手順において、第２スマートメータＭ２から取得した複数の電力瞬時値の平均値と、複数の指示値の平均値とが所定の関係を満たす補正係数を求める手順を実行させるように記述されている。
【０１１８】
コンピュータプログラム９０を記録する記録媒体は、非一時的な有形のコンピュータ８０が使用可能な媒体を含み、その媒体に、コンピュータ８０が読み取り可能なプログラムコードが埋め込まれる。コンピュータプログラム９０が、コンピュータ８０上で実行されたとき、コンピュータ８０に、情報処理装置１００を実現する以下の情報処理方法を実行させる。
【０１１９】
このように構成された本実施形態の情報処理装置１００の情報処理方法について、以下説明する。
図８は、本実施形態の情報処理装置１００の動作の一例を示すフローチャートである。
本発明の実施の形態に係る情報処理方法は、情報処理装置１００の情報処理方法であり、情報処理装置１００を実現するコンピュータ８０により実行される情報処理方法である。
本実施形態の情報処理方法は、情報処理装置１００が、電力系統１０と負荷１２の間の電力ライン２０に流れる電力に関する計測値を取得し（ステップＳ２０３）、蓄電池４０から電力ライン２０に入出力すべき電力を示す指示値を取得し（ステップＳ２０７）、指示値に従い蓄電池４０から入出力される電力が制御されて電力ライン２０に入出力されたとき、計測値が、対応する指示値になるように、指示値を補正する補正係数を算出し（ステップＳ２１７）、さらに、ステップＳ２０３において、電力ライン２２に入出力される電力の電力瞬時値を計測する第２スマートメータＭ２から計測値として少なくとも一つの電力瞬時値を取得し、ステップＳ２０７において、少なくとも一つの電力瞬時値を取得した時の少なくとも一つの指示値をそれぞれ取得し、ステップＳ２１７において、第２スマートメータＭ２から取得した少なくとも一つの電力瞬時値、当該電力瞬時値に対応する指示値を用いて補正係数を算出する（ステップＳ２１７）、ことを含む。
【０１２０】
さらに、本実施形態の情報処理方法は、情報処理装置１００が、第２スマートメータＭ２から取得した複数の電力瞬時値の平均値と、複数の指示値の平均値とが所定の関係を満たす補正係数を求めることを含む。
【０１２１】
以下、詳細に説明する。
本フローチャートは、情報処理装置１００が起動した時に開始し、その後、たとえば、所定期間（３０分間等）毎に繰り返し実行される。ここでは、複数の電力瞬時値の平均値を用いて補正係数を算出する例について説明する。
まず、計測値取得部１０２がカウンタｉを１にセットする（ステップＳ２０１）。このカウンタｉは、第２スマートメータＭ２から取得し、平均値を算出するデータの有効な個数を示し、平均値を算出するのに必要となる所定数ｎ（たとえば、１０）になるまでインクリメントされる。（ここで、ｉとｎは１以上の自然数である。）
【０１２２】
計測値取得部１０２が、第２スマートメータＭ２から電力瞬時値を受信する（ステップＳ２０３）。受信に成功した電力瞬時値は（ステップＳ２０５のＹＥＳ）、時刻情報に関連付けられて図９（ａ）の記憶装置１１０の電力瞬時値記憶部１２２に記憶される。そして、指示値取得部１０４が指示値ｘを取得し、対応する計測値に関連付けて図９（ａ）の電力瞬時値記憶部１２２に記憶する。そして、カウンタｉがインクリメントされ（ステップＳ２０９）、データ数が所定数ｎを超えたか否かを判定する（ステップＳ２１１）。
【０１２３】
ステップＳ２０５で、受信に失敗した場合（ステップＳ２０５のＮＯ）、ステップＳ２０３に戻り、計測値取得部１０２が再度、計測値を取得する。また、ステップＳ２０５において、有効な計測値であるか否かの判定も行うことができる。たとえば、計測値が０でないこと、さらに、計測値と指示値の差が所定割合未満であるか否かを判定し、全ての条件を満たした場合、ステップＳ２０７に進んでもよい。１つでも条件を満たさない場合は、ステップＳ２０３に戻る。また、計測値が０でないことの判定においては、計測値の誤差を考慮して、計測値の有効桁数より小さい値は０であると判定してよい。
【０１２４】
そして、データ数（カウンタｉ）が所定数ｎを超えるまで、カウンタｉがｎ以下の場合（ステップＳ２１１のＮＯ）、ステップＳ２０３に戻り、計測値と指示値を収集し、電力瞬時値記憶部１２２に記憶する。
【０１２５】
データ数（カウンタｉ）が所定数ｎを超えた時（ステップＳ２１１のＹＥＳ）、算出部１０６が、式（４）を用いて複数の電力瞬時値の平均値Ｆを算出し、時刻情報に関連付けて図９（ｂ）の記憶装置１１０の平均値記憶部１２４に記憶する（ステップＳ２１３）。さらに、算出部１０６が、式（４）を用いて電力瞬時値に対応する複数の指示値の平均値Ｅを算出し、時刻情報と電力瞬時値の平均値Ｆに関連付けて指示値の平均値Ｅを平均値記憶部１２４に記憶する（ステップＳ２１５）。
【０１２６】
算出部１０６は、平均値記憶部１２４を参照し、電力瞬時値の平均値Ｆが、指示値の平均値Ｅとなるように、式（５）を用いて、補正係数Ａを算出する（ステップＳ２１７）。算出された補正係数Ａは、時刻情報に関連付けられて図１０の記憶装置１１０の補正係数記憶部１２６に記憶される。
【０１２７】
そして、算出部１０６は、算出された補正係数Ａを指示値ｘに乗算して指示値ｘを補正し、補正した指示値ｘをＰＣＳ４２に送信する（ステップＳ２１９）。そして、ステップＳ２０１に戻り、所定期間毎（たとえば、３０分毎）に本処理を繰り返す。
【０１２８】
図示してないが、ＰＣＳ４２では、指示値ｘを制御装置５０から受信し、受信した指示値ｘを用いて電力ライン２０に入出力する電力を制御する。これにより、内部センサＳ０の誤差が校正され、指示値ｘに一致した電力が電力ライン２０に入出力されることになる。
【０１２９】
以上説明したように、電力調整システム１の情報処理装置１００において、計測値取得部１０２により取得される計測値が、指示値取得部１０４により取得される対応する指示値になるように、算出部１０６により補正係数Ａが算出される。
【０１３０】
本実施形態では、計測値は、電力瞬時値であり、所定期間の所定時間内で、連続したタイミングで取得された計測値の平均値として補正係数の算出処理を行う。
第２スマートメータＭ２からの計測値の取得は無線通信によるので、通信エラー等により計測値が取得できない可能性がある。本実施形態によれば、複数の計測値を取得し、平均値を用いる構成とすることで、通信エラーによるデータの欠落にも短期間で対応できることとなる。
【０１３１】
また、計測値として積算電力量を用いる上記実施形態では、電力消費量が少ない場合に、補正係数の算出タイミングの間隔が長くなってしまう可能性があった。そして、補正係数の算出間隔が長いと、その間に大きな温度変化が起きる可能性が高くなり、温度変化によって内部センサＳ０に誤差が生じてしまう可能性がある。本実施形態によれば、補正係数の算出タイミングを任意の時刻に設定することができる。
【０１３２】
このように、本実施形態によれば、上記実施形態と同様な効果を奏するとともに、さらに、効率よく需要家における高精度な電力制御を実現することができる。
【０１３３】
（第３の実施の形態）
次に、本発明の第３の実施の形態について、以下説明する。
図１１は、本発明の実施の形態に係る電力調整システム１のシステム構成を概念的に示す図である。
本実施形態の電力調整システム１は、上記実施形態とは、計測値取得手段として、第２スマートメータＭ２の換わりに第１センサＳ１および第２センサＳ２を有している点で相違する。
【０１３４】
本実施形態では、電力ライン２０は、電力系統１０とＰＣＳ４２の間の第１電力ライン２０ａとＰＣＳ４２と負荷１２の間の第２電力ライン２０ｂを含む。
ＰＣＳ４２は、電力ライン２０と、蓄電池４０または発電装置との間に電気的に接続される。ＰＣＳ４２は、指示値に従い制御した電力を電力ライン２０に入出力する。
ＰＣＳ４２は、指示値が負の値に設定されたとき、蓄電池４０を放電制御し、指示値が正の値に設定されたとき、蓄電池４０を充電制御する。
【０１３５】
第１センサＳ１および第２センサＳ２は、クランプ式電流センサ（ＣＴ：Current Transformer）である。第１センサＳ１は、第１電力ライン２０ａに流れる電力の電流値を計測する。第２センサＳ２は、第２電力ライン２０ｂに流れる電力の電流値を計測する。
ＰＣＳ４２は、第１センサＳ１と、第２センサＳ２に電気的に接続され、各センサから電流値を取得する。
【０１３６】
本実施形態の情報処理装置１００は、上記実施形態と同様な構成を有するので、図３を用いて説明する。
本実施形態の情報処理装置１００は、上記実施形態とは、計測値取得手段として計測値取得部１０２が第１スマートメータＭ１と、第１センサＳ１と、第２センサＳ２とから取得した計測値に基づいて、算出部１０６が補正係数を算出する構成を有する点で相違する。
【０１３７】
本実施形態の情報処理装置１００において、計測値取得部１０２は、第１センサＳ１から、第１電力ライン２０ａを流れる電力の電流値を計測値として少なくとも一つ取得し、さらに、図示されない電圧計により計測される電圧値を用いて第１電力ライン２０ａを流れる電力の電力瞬時値を算出する。
また、計測値取得部１０２は、第２センサＳ２から、第２電力ライン２０ｂを流れる電力の電流値を計測値として少なくとも一つ取得し、さらに、図示されないＰＣＳ４２内の電圧計により計測される電圧値を用いて第２電力ライン２０ｂを流れる電力の電力瞬時値を算出する。
【０１３８】
各電力瞬時値は、上記実施形態と同様に、所定期間の所定時間内で、連続したタイミング（たとえば、３０分間の初めの１分間で数秒おきに１０回等）で計測値取得部１０２により取得される。
このようにして、計測値取得部１０２は、第１センサＳ１、および第２センサＳ２から、第１センサＳ１と第２センサＳ２の各々について少なくとも１つの電力瞬時値を計測値として取得する。
【０１３９】
以後、本明細書では、計測値取得部１０２が第１センサＳ１または第２センサＳ２から取得した電流値と、図示されない電圧計から取得された電圧値に基づいて、電力指示値を算出する処理については説明を省略し、「電力瞬時値」を計測値取得部１０２が第１センサＳ１または第２センサＳ２から取得する計測値として説明する。
【０１４０】
さらに、指示値取得部１０４は、第１センサＳ１および第２センサＳ２の少なくとも１つの計測値を取得した時の少なくとも１つの指示値を取得する。指示値取得部１０４が、指示値を取得するタイミングは、計測値取得部１０２が計測値を取得したのと同じタイミングであるのが望ましい。ただし、必ずしも同時でなくてもよい。
【０１４１】
算出部１０６は、第１センサＳ１および第２センサＳ２各々について少なくとも１つの電力瞬時値と、当該計測値に対応する指示値とを用いて補正係数を算出する。
本実施形態では、複数の電力瞬時値の平均値と対応する複数の指示値の平均値を用いて補正係数を算出する例について説明する。さらに、１つの電力瞬時値と対応する一つの指示値を用いて補正係数を算出してもよいと、あるいは、複数の電力瞬時値の積算値と対応する複数の指示値の積算値を用いて補正係数を算出してもよい。
【０１４２】
算出部１０６は、第１センサＳ１および第２センサＳ２の複数の電力瞬時値の平均値Ｇ１、Ｇ２と、複数の計測値に対応する複数の指示値ｘの平均値Ｅをそれぞれ算出する。
たとえば、蓄電池４０の充放電制御において、蓄電池４０の放電制御時には、指示値ｘは負の値となり、蓄電池４０の充電制御時には、指示値ｘは正の値となる。
【０１４３】
電力調整システム１において、電力系統１０への逆潮流がないとすると、蓄電池４０の放電制御時には、第２センサＳ２の計測値（電力瞬時値）が、第１センサＳ１の計測値（電力瞬時値）と内部センサＳ０で計測される電力瞬時値（負）の合計と等しくなる。また、蓄電池４０の充電制御時には、第１センサＳ１の計測値（電力瞬時値）が、第２センサＳ２の計測値（電力瞬時値）と内部センサＳ０で計測される電力瞬時値（正）の合計と等しくなる。
【０１４４】
また、内部センサＳ０の誤差により、内部センサＳ０の値により電力ライン２２に入出力制御される電力が指示値ｘと異なる場合に、指示値ｘに補正係数Ａを乗じてＰＣＳ４２に与えることで、ＰＣＳ４２から電力ライン２２に入出力される電力を指示値ｘに等しくすることができる。
【０１４５】
これらから、算出部１０６は、以下の式（６）に示すように、算出された第２センサＳ２の平均値Ｇ２から第１センサＳ１の平均値Ｇ１を減算した値が、指示値ｘの平均値Ｅとなるように、補正係数Ａを算出する。
Ａ＝Ｅ／（Ｇ２−Ｇ１）                ・・・式（６）
【０１４６】
上記式（６）では、指示値の平均値ＥをＧ２−Ｇ１で除して補正係数Ａを算出している。補正係数の算出方法は、これに限定されない。算出部１０６は、Ｇ２−Ｇ１と、指示値の平均値Ｅとが所定の関係を満たす補正係数を求めてもよい。
【０１４７】
所定の関係とは、上記例の他に、各センサの値の有効桁数未満を切り捨てた値や切り上げた値や四捨五入した値を用いて求めた値と指示値の平均値Ｅに補正係数Ａを乗じた値を等しくする例も含む。また、各センサの値の積算値を用いて求めた値と指示値の積算値に補正係数Ａを乗じた値を等しくする例も含む。平均値を用いる場合、センサの最小誤差を考慮し、平均値の値が所定の値以上となるまで、計測回数を増やしてもよい。
【０１４８】
以下、本発明の実施の形態に係るコンピュータプログラムについて説明する。
本実施の形態の情報処理装置１００は、コンピュータプログラムに対応する各種の処理動作をコンピュータ８０のＣＰＵ８２が実行することにより、前述のような各種ユニットが各種機能として実現される。
【０１４９】
本実施形態のコンピュータプログラムは、情報処理装置１００を実現させるためのコンピュータに、第１センサＳ１および第２センサＳ２から計測値を複数取得する手順、第１センサＳ１および第２センサＳ２の複数の計測値を取得した時の複数の指示値を取得する手順、第１センサＳ１および第２センサＳ２の複数の電力瞬時値の平均値Ｇ１、Ｇ２と、複数の計測値に対応する複数の指示値ｘの電力瞬時値、瞬時値の平均値Ｅ、または瞬時値の積算値をそれぞれ算出する手順、算出された第２センサＳ２の平均値Ｇ２と第１センサＳ１の平均値Ｇ１と、指示値ｘの電力瞬時値、瞬時値の平均値Ｅ、または瞬時値の積算値とが所定の関係を満たすように、補正係数Ａを算出する手順、を実行させるように記述されている。
【０１５０】
コンピュータプログラム９０を記録する記録媒体は、非一時的な有形のコンピュータ８０が使用可能な媒体を含み、その媒体に、コンピュータ８０が読み取り可能なプログラムコードが埋め込まれる。コンピュータプログラム９０が、コンピュータ８０上で実行されたとき、コンピュータ８０に、情報処理装置１００を実現する以下の情報処理方法を実行させる。
【０１５１】
このように構成された本実施形態の情報処理装置１００の情報処理方法について、以下説明する。
図１２は、本実施形態の情報処理装置１００の動作の一例を示すフローチャートである。
本発明の実施の形態に係る情報処理方法は、情報処理装置１００の情報処理方法であり、情報処理装置１００を実現するコンピュータ８０により実行される情報処理方法である。
本実施形態の情報処理方法は、情報処理装置１００が、第１センサＳ１および第２センサＳ２から計測値を複数取得し（ステップＳ３０３）、第１センサＳ１および第２センサＳ２の複数の計測値を取得した時の複数の指示値を取得し（ステップＳ３０７）、第１センサＳ１および第２センサＳ２の複数の電力瞬時値の平均値Ｇ１、Ｇ２と、複数の計測値に対応する複数の指示値ｘの電力瞬時値、瞬時値の平均値Ｅ、または瞬時値の積算値をそれぞれ算出し（ステップＳ３１３）、算出された第２センサＳ２の平均値Ｇ２と第１センサＳ１の平均値Ｇ１と、指示値ｘの電力瞬時値、瞬時値の平均値Ｅ、または瞬時値の積算値とが所定の関係を満たすように、補正係数Ａを算出する（ステップＳ３１７）、ことを含む。
【０１５２】
以下、詳細に説明する。
本フローチャートは、情報処理装置１００が起動した時に開始し、その後、たとえば、所定期間（３０分間等）毎に繰り返し実行される。ここでは、複数の電力瞬時値の平均値を用いて補正係数を算出する例にいて説明する。
まず、計測値取得部１０２がカウンタｉを１にセットする（ステップＳ３０１）。このカウンタｉは、各センサの計測値の平均値を算出するデータの有効な個数を示し、平均値を算出するのに必要となる所定数ｎ（たとえば、１０）になるまでインクリメントされる。（ここで、ｉとｎは１以上の自然数である。）
【０１５３】
有効なデータ数ｎは、センサ毎、周辺環境（温度）、消費電力量等に応じて設定できてよい。データ数ｎは、プログラムにより予め設定されていてもよいし、ユーザ操作または蓄電池中給のサーバ５などからの指示に従い、設定変更またはプログラム更新できる構成としてもよい。
【０１５４】
計測値取得部１０２が、第１センサＳ１と第２センサＳ２から電力瞬時値を取得する（ステップＳ３０３）。取得した電力瞬時値が有効な計測値であるか否かの判定を行う（ステップＳ３０５）。たとえば、計測値が０でないこと、さらに、計測値と指示値の差が所定割合未満であるか否かを判定し、全ての条件を満たした場合、ステップＳ３０７に進んでよい。１つでも条件を満たさない場合は、ステップＳ３０３に戻る。また、計測値が０でないことの判定においては、計測値の誤差を考慮して、計測値の有効桁数より小さい値は０であると判定してよい。
【０１５５】
計測値が有効な場合（ステップＳ３０５のＹＥＳ）、計測値は時刻情報に関連付けられて図１３（ａ）の記憶装置１１０の計測値記憶部１３０に記憶される。そして、指示値取得部１０４が指示値ｘを取得し、対応する計測値に関連付けて図１３（ａ）の計測値記憶部１３０に記憶する（ステップＳ３０７）。そして、カウンタｉがインクリメントされ（ステップＳ３０９）、データ数が所定数ｎを超えたか否かを判定する（ステップＳ３１１）。
【０１５６】
図１３（ａ）に示すように、蓄電池４０の充電時には、指示値ｘは正の値となり、蓄電池４０の放電時には指示値ｘは負の値となる。
【０１５７】
ステップＳ３０５で、計測値が有効でないと判定された場合（ステップＳ３０５のＮＯ）、ステップＳ３０３に戻り、計測値取得部１０２が再度、計測値を取得する。
【０１５８】
そして、データ数（カウンタｉ）が所定数ｎを超えるまで、カウンタｉがｎ以下の場合（ステップＳ３１１のＮＯ）、ステップＳ３０３に戻り、計測値と指示値を収集し、計測値記憶部１３０に記憶する。
【０１５９】
データ数（カウンタｉ）が所定数ｎを超えた時（ステップＳ３１１のＹＥＳ）、算出部１０６が、複数の電力瞬時値の平均値Ｇ１、Ｇ２を算出し、時刻情報に関連付けて図１３（ｂ）の記憶装置１１０の平均値記憶部１３２に記憶する（ステップＳ３１３）。さらに、算出部１０６が、電力瞬時値に対応する複数の指示値ｘの平均値Ｅを算出し、時刻情報と電力瞬時値の平均値Ｇ１、Ｇ２に関連付けて指示値の平均値Ｅを平均値記憶部１３２に記憶する（ステップＳ３１５）。
【０１６０】
図１３（ｂ）に示すように、蓄電池４０の充電時には、指示値ｘの平均値は正の値となり、蓄電池４０の放電時には指示値ｘの平均値は負の値となる。
【０１６１】
算出部１０６は、平均値記憶部１３２を参照し、式（６）を用いて、第２センサＳ２の電力瞬時値の平均値Ｇ２から第１センサＳ１の電力瞬時値の平均値Ｇ１を減算し、その結果が指示値ｘの平均値Ｅとなるように、補正係数Ａを算出する（ステップＳ３１７）。算出された補正係数Ａは、上記実施形態と同様な補正係数記憶部１２６に記憶される。
【０１６２】
そして、算出部１０６は、算出された補正係数Ａを指示値ｘに乗算して指示値ｘを補正し、補正した指示値ｘをＰＣＳ４２に送信する（ステップＳ３１９）。そして、ステップＳ３０１に戻り、所定期間毎（たとえば、３０分毎）に本処理を繰り返す。
【０１６３】
図示してないが、ＰＣＳ４２では、指示値ｘを制御装置５０から受信し、受信した指示値ｘを用いて電力ライン２０に入出力する電力を制御する。これにより、内部センサＳ０の誤差が校正され、指示値ｘに一致した電力が電力ライン２０に入出力されることになる。
【０１６４】
さらに、本実施形態では、第１センサＳ１と第２センサＳ２の誤差についても補正を行う構成を有してもよい。
図１４は、本発明の実施の形態に係る情報処理装置１００の構成を論理的に示す機能ブロック図である。
本実施形態の情報処理装置１００は、図３の情報処理装置１００と同様な構成を有するとともに、さらに、制御部１０８を備える。
【０１６５】
本実施形態において、電力調整システム１は、電力系統から前記電力ラインに供給される電力を計測する第１スマートメータＭ１をさらに備える。
そして、制御部１０８は、電力ライン２０への電力の入出力を制御する。
【０１６６】
計測値取得部１０２は、制御部１０８により、電力ライン２２への電力の入出力が停止されたとき、第１スマートメータＭ１、第１センサＳ１および第２センサＳ２から計測値をそれぞれ取得する。
【０１６７】
計測値取得部１０２が第１スマートメータＭ１から取得する計測値は、電力瞬時値または積算電力量である。
【０１６８】
たとえば、計測値が電力瞬時値の場合、計測値取得部１０２が第１スマートメータＭ１、第１センサＳ１、および第１センサＳ１からそれぞれ取得した複数の計測値が、時刻情報に関連付けられて図１５（ａ）の記憶装置１１０の電力瞬時値記憶部１３４にそれぞれ記憶される。
【０１６９】
そして、算出部１０６が第１スマートメータＭ１、第１センサＳ１、および第２センサＳ２毎に複数の電力瞬時値の平均値Ｇ３、Ｇ１、およびＧ２を算出し、図示されない記憶部に記憶する。そして、算出部１０６は、以下の式（７）および式（８）に示すように、第１センサＳ１および第２センサＳ２の平均値Ｇ１、Ｇ２が、対応する第１スマートメータＭ１の平均値Ｇ３にそれぞれなるように、第１センサＳ１および第２センサＳ２の平均値Ｇ１、Ｇ２を補正する第１センサ用補正係数Ｂ１および第２センサ用補正係数Ｂ２をそれぞれ算出する。
Ｇ３＝Ｂ１・Ｇ１                ・・・式（７）
Ｇ３＝Ｂ２・Ｇ２                ・・・式（８）
【０１７０】
算出された各センサの補正係数Ｂ１、Ｂ２は、図示されない記憶部に記憶される。
【０１７１】
また、計測値が積算電力量の場合、計測値取得部１０２が第１スマートメータＭ１から所定期間毎に取得した計測値（積算電力量Ｈ３）が、時刻情報に関連付けられて図１５の記憶装置１１０の積算電力量記憶部１３６に記憶される。
【０１７２】
さらに、計測値取得部１０２が、所定期間内に第１センサＳ１および第２センサＳ２から取得した複数の計測値（電力瞬時値）が電力瞬時値記憶部１３４に時刻情報に関連付けられて記憶される。算出部１０６が電力瞬時値記憶部１３４を参照し、所定期間（または積算時間）分の第１センサＳ１と第２センサＳ２の計測値（電力瞬時値）を積算し、各センサの積算電力量Ｈ１、Ｈ２を算出し、対応する時刻情報と第１スマートメータＭ１の積算電力量Ｈ３に関連付けて積算電力量記憶部１３６に記憶する。
【０１７３】
そして、算出部１０６が、以下の式（９）および式（１０）に示すように、第１センサＳ１および第２センサＳ２の積算電力量Ｈ１、Ｈ２が、対応する第１スマートメータＭ１の積算電力量Ｈ３になるように、第１センサＳ１および第２センサＳ２の積算電力量Ｈ１、Ｈ２を補正する第１センサ用補正係数Ｂ１および第２センサ用補正係数Ｂ２をそれぞれ算出する。
Ｈ３＝Ｂ１・Ｈ１                ・・・式（９）
Ｈ３＝Ｂ２・Ｈ２                ・・・式（１０）
【０１７４】
算出された各センサの補正係数Ｂ１、Ｂ２は、図示されない記憶部に記憶される。
上記式（７）〜式（１０）では、各センサの値と、第１スマートメータＭ１の計測値に補正係数を乗じた値との関係が、等しくなる例を示しているが、これに限定されない。算出部１０６は、各センサの値と、第１スマートメータＭ１の計測値に補正係数を乗じた値とが所定の関係を満たす補正係数を求めてもよい。
【０１７５】
所定の関係とは、上記例の他に、各センサの値の有効桁数未満を切り捨てた値や切り上げた値や四捨五入した値と、第１スマートメータＭ１の計測値の有効桁数未満を切り捨てた値に各補正係数を乗じた値を等しくする例も含む。また、各センサの値の積算値を用いて求めた値と指示値の積算値に補正係数Ａを乗じた値を等しくする例も含む。平均値を用いる場合、センサの最小誤差を考慮し、平均値の値が所定の値以上となるまで、計測回数を増やしてもよい。
【０１７６】
計測値を用いて補正係数を算出するための第２スマートメータＭ２、第１センサＳ１および第２センサＳ２から計測値（電力瞬時値または積算電力量）を収集するタイミング、および計測値から電力瞬時値の平均値または積算値を算出するタイミングおよび算出方法などは上述した通りであるので詳細な説明は省略する。
【０１７７】
計測値が電力瞬時値の場合、計測値取得部１０２が第１スマートメータＭ１から所定期間毎に取得した積算電力量が、時刻情報に関連付けられて図１５（ｂ）の記憶装置１１０の積算電力量記憶部１３６に記憶される。さらに、計測値取得部１０２が、第１センサＳ１および第２センサＳ２から取得した複数の計測値を所定期間分積算し、図１５（ｂ）の記憶装置１１０の積算電力量記憶部１３６に記憶される。
【０１７８】
図１５（ａ）および図１５（ｂ）では、第１スマートメータＭ１、第１センサＳ１および第２センサＳ２の情報を関連付けて保持しているが、これに限定されない。センサ毎に情報を保持してもよい。
【０１７９】
そして、算出された各補正係数Ｂ１、Ｂ２を用いて、計測値取得部１０２は、第１センサＳ１および第２センサＳ２の計測値をそれぞれ補正する。そして、算出部１０６は、第１センサＳ１および第２センサＳ２の補正された計測値を用いて、上述した補正係数Ａを算出する。
【０１８０】
図１６は、第１センサＳ１と第２センサＳ２の校正を実現するための、本実施形態の情報処理装置１００の動作の一例を示すフローチャートである。
本発明の実施の形態に係る情報処理方法は、情報処理装置１００の情報処理方法であり、情報処理装置１００を実現するコンピュータ８０により実行される情報処理方法である。
本実施形態の情報処理方法は、情報処理装置１００が、電力ライン２２への電力の入出力が停止されたとき（ステップＳ３３１）、第１スマートメータＭ１、第１センサＳ１および第２センサＳ２から計測値をそれぞれ取得し（ステップＳ３３３）、第１スマートメータＭ１、第１センサＳ１および第２センサＳ２の計測値を用いて、第１センサＳ１および第２センサＳ２の計測値が、対応する第１スマートメータＭ１の計測値にそれぞれなるように、第１センサＳ１および第２センサＳ２の計測値を補正する第１センサ用補正係数Ｂ１および第２センサ用補正係数Ｂ２をそれぞれ算出し（ステップＳ３３７）、第１センサ用補正係数Ｂ１および第２センサ用補正係数Ｂ２をそれぞれ用いて第１センサＳ１および第２センサＳ２の計測値をそれぞれ補正し（ステップＳ３３９）、第１センサＳ１および第２センサＳ２の補正された計測値を用いて、補正係数Ａを算出する（図１２のステップＳ３０３〜ステップＳ３１７）、ことを含む。
【０１８１】
以下、詳細に説明する。
本フローチャートは、第１センサＳ１と第２センサＳ２の校正が必要な場合において、上述した図１２の処理の前に行われる。すなわち、情報処理装置１００が起動した時に開始し、その後、たとえば、所定期間（３０分間等）毎に繰り返し実行される。
【０１８２】
まず、制御部１０８が、電力ライン２２への電力の入出力を停止する（ステップＳ３３１）。具体的には、制御部１０８は、０を設定した指示値ｘをＰＣＳ４２に送信する。
【０１８３】
そして、計測値取得部１０２が、第１スマートメータＭ１、第１センサＳ１、および第２センサＳ２から、計測値をそれぞれ取得する（ステップＳ３３３）。取得した各計測値は、時刻情報に関連付けて図１５（ａ）の記憶装置１１０の電力瞬時値記憶部１３４または積算電力量記憶部１３６に記憶される。
【０１８４】
計測値は、電力瞬時値または積算電力量である。計測値毎の処理は上述した通りであり、ここでは詳細な説明は省略する。そして、制御部１０８は、電力ライン２２への電力の入出力の停止を解除する（ステップＳ３３５）。
【０１８５】
そして、算出部１０６が、第１センサＳ１の値と、第２センサＳ２の値と、第１スマートメータＭ１の値が、式（７）と式（８）または式（９）と式（１０）に示すような、所定の関係を満たすように第１センサＳ１用の第１補正係数Ｂ１と、第２センサＳ２用の第２補正係数Ｂ２をそれぞれ算出する（ステップＳ３３７）。
【０１８６】
そして、算出された各補正係数Ｂ１とＢ２を用いて、計測値取得部１０２が取得する第１センサＳ１と第２センサＳ２の計測値をそれぞれ補正する（ステップＳ３３９）。
【０１８７】
ステップＳ３３９の処理は、図１２のステップＳ３０３で計測値が取得された後に、それぞれ実行されてもよい。
【０１８８】
上記により、内部センサＳ０の校正を行うための補正係数Ａを算出する前に、第１センサＳ１と第２センサＳ２の校正を行うことができる。
【０１８９】
以上説明したように、電力調整システム１の情報処理装置１００において、計測値取得部１０２により取得される計測値が、指示値取得部１０４により取得される対応する指示値になるように、算出部１０６により補正係数Ａが算出される。
さらに、本実施形態では、第２スマートメータＭ２の代わりに、第１センサＳ１と第２センサＳ２から取得した計測値に基づいて、算出部１０６により補正係数が算出される。
【０１９０】
本実施形態では、第１センサＳ１および第２センサＳ２は、ＰＣＳ４２に電気的に接続されるので、第２スマートメータＭ２の無線通信の場合と異なり、通信エラー等による計測値の欠落がない。また、本実施形態は、第２スマートメータＭ２よりも低コストで電力調整システム１を実現できる。
【０１９１】
また、本実施形態では、第１センサＳ１および第２センサＳ２の校正も定期的に実行できる構成を有しているので、電力制御の精度を保つことができる。
【０１９２】
このように、本実施形態の情報処理装置１００によれば、上記実施形態と同様な効果を奏するとともに、さらに、効率よく需要家における高精度な電力制御を実現することができる。
【０１９３】
（第４の実施の形態）
次に、本発明の第４の実施の形態について、以下説明する。
図１７は、本発明の実施の形態に係る電力調整システム１のシステム構成を概念的に示す図である。
本実施形態の電力調整システム１は、上記実施形態とは、計測値取得手段として、第２センサＳ２を有し、第１センサＳ１は利用しない点で相違する。
【０１９４】
第２センサＳ２は、第２電力ライン２０ｂに流れる電力の電流値を計測する。
ＰＣＳ４２は、第２センサＳ２に電気的に接続され、第２センサＳ２から電流値を取得する。
【０１９５】
本実施形態の情報処理装置１００は、上記実施形態と同様な構成を有するので、図１４を用いて説明する。
本実施形態の情報処理装置１００は、上記実施形態とは、計測値取得手段として計測値取得部１０２が第１スマートメータＭ１と、第２センサＳ２とから取得した計測値に基づいて、算出部１０６が補正係数を算出する構成を有する点で相違する。
【０１９６】
本実施形態の情報処理装置１００において、計測値取得部１０２は、電力系統１０から電力ラインに供給される電力を計測する第１スマートメータＭ１と、第２センサＳ２と、から計測値（電力瞬時値）をそれぞれ少なくとも一つ取得する。
【０１９７】
各電力瞬時値は、上記実施形態と同様に、所定期間の所定時間内で、連続したタイミング（たとえば、３０分間の初めの１分間で数秒おきに１０回等）で計測値取得部１０２により取得される。
このようにして、計測値取得部１０２は、第１スマートメータＭ１および第２センサＳ２の各々から少なくとも一つの電力瞬時値を計測値として取得する。
【０１９８】
さらに、指示値取得部１０４は、第１スマートメータＭ１および第２センサＳ２の少なくとも一つの計測値を取得した時の少なくとも一つの指示値を取得する。指示値取得部１０４が、指示値を取得するタイミングは、計測値取得部１０２が計測値を取得したのと同じタイミングであるのが望ましい。ただし、必ずしも同時でなくてもよい。
【０１９９】
算出部１０６は、第１スマートメータＭ１および第２センサＳ２各々について少なくとも１つの電力瞬時値と、当該計測値に対応する指示値とを用いて補正係数を算出する。
本実施形態では、複数の電力瞬時値の平均値と対応する複数の指示値の平均値を用いて補正係数を算出する例について説明する。さらに、１つの電力瞬時値と対応する一つの指示値を用いて補正係数を算出してもよいと、あるいは、複数の電力瞬時値の積算値と対応する複数の指示値の積算値を用いて補正係数を算出してもよい。
【０２００】
算出部１０６は、第１スマートメータＭ１および第２センサＳ２の複数の電力瞬時値の平均値Ｇ３、Ｇ２と、複数の計測値に対応する複数の指示値ｘの平均値Ｅをそれぞれ算出する。
たとえば、蓄電池４０の充放電制御において、蓄電池４０の放電制御時には、指示値ｘは負の値となり、蓄電池４０の充電制御時には、指示値ｘは正の値となる。
【０２０１】
電力調整システム１において、電力系統１０への逆潮流がないとすると、蓄電池４０の放電制御時には、第２センサＳ２の計測値（電力瞬時値）が、第１スマートメータＭ１の順潮流側の計測値（電力瞬時値）と内部センサＳ０で計測される電力瞬時値（負）の絶対値の合計と等しくなる。また、蓄電池４０の充電制御時には、第１スマートメータＭ１の順潮流側の計測値（電力瞬時値）が、第２センサＳ２の計測値（電力瞬時値）と内部センサＳ０で計測される電力瞬時値（正）の合計と等しくなる。
【０２０２】
また、内部センサＳ０の誤差により、内部センサＳ０の計測により入出力される電力瞬時値が指示値ｘと異なる場合に、指示値ｘに補正係数Ａを乗じることで、内部センサＳ０で計測される電力瞬時値（電力ライン２０に入出力される電力）を指示値ｘに等しくすることができる。
【０２０３】
これらから、算出部１０６は、蓄電池４０の放電、充電に応じて、以下の式（１１）、または、式（１２）に示すように、補正係数Ａを算出する。
Ｇ３＋Ａ・｜Ｅ｜＝Ｇ２                ・・・式（１１）
Ｇ３＝Ａ・Ｅ＋Ｇ２                    ・・・式（１２）
【０２０４】
上記式（１１）および式（１２）では、Ｇ２とＧ３の値に対して、指示値の平均値Ｅに補正係数Ａを乗じた値との関係が等しくなる例を示しているが、これに限定されない。算出部１０６は、Ｇ２とＧ３の値と、指示値の平均値Ｅに補正係数Ａを乗じた値と、が所定の関係を満たす補正係数を求めてもよい。
【０２０５】
所定の関係とは、上記例の他に、各センサの値の有効桁数未満を切り捨てた値や切り上げた値や四捨五入した値を用いて求めた値と指示値の平均値Ｅに補正係数Ａを乗じた値を等しくする例も含む。
【０２０６】
また、補正係数Ａを算出するのに使用される第２センサＳ２の校正を実現するための構成として、蓄電池４０が充放電を行っていない状態の時に、算出部１０６は、第１スマートメータＭ１、および第２センサＳ２毎に複数の電力瞬時値の平均値Ｇ３およびＧ２（または積算電力量Ｈ３およびＨ２）を算出し、図示されない記憶部に記憶する。そして、算出部１０６は、上述した式（８）（または式（１０））に示すように、第２センサＳ２の平均値Ｇ２（または積算電力量Ｈ２）が、対応する第１スマートメータＭ１の平均値Ｇ３（または積算電力量Ｈ３）にそれぞれなるように、第２センサＳ２の平均値Ｇ２（積算電力量Ｈ３）を補正する第２センサ用補正係数Ｂ２を算出する。
【０２０７】
なお、補正係数の算出に用いる値は、複数の電力瞬時値の平均値以外に、１つの電力瞬時値、または複数の電力瞬時値の積算値を用いてもよい。
【０２０８】
算出された各センサの補正係数Ｂ２は、図示されない記憶部に記憶される。
【０２０９】
そして、算出された各補正係数Ｂ２を用いて、計測値取得部１０２は、第２センサＳ２の計測値を補正する。そして、算出部１０６は、第２センサＳ２の補正された計測値を用いて、上述した補正係数Ａを算出する。
【０２１０】
以下、本発明の実施の形態に係るコンピュータプログラムについて説明する。
本実施の形態の情報処理装置１００は、コンピュータプログラムに対応する各種の処理動作をコンピュータ８０のＣＰＵ８２が実行することにより、前述のような各種ユニットが各種機能として実現される。
【０２１１】
本実施形態のコンピュータプログラムは、情報処理装置１００を実現させるためのコンピュータに、第１スマートメータＭ１と、第２センサＳ２と、から計測値をそれぞれ複数取得する手順、第１スマートメータＭ１および第２センサＳ２の複数の計測値を取得した時の複数の指示値を取得する手順、第１スマートメータＭ１および第２センサＳ２の複数の電力瞬時値の平均値Ｇ３、Ｇ２と、複数の計測値に対応する複数の指示値ｘの平均値Ｅをそれぞれ算出する手順、算出された第２センサＳ２の平均値Ｇ２と、第１スマートメータＭ１の平均値Ｇ３と、指示値ｘの平均値Ｅとが、式（１１）、または式（１２）を満足するように、補正係数Ａを算出する手順、を実行させるように記述されている。
【０２１２】
コンピュータプログラム９０を記録する記録媒体は、非一時的な有形のコンピュータ８０が使用可能な媒体を含み、その媒体に、コンピュータ８０が読み取り可能なプログラムコードが埋め込まれる。コンピュータプログラム９０が、コンピュータ８０上で実行されたとき、コンピュータ８０に、情報処理装置１００を実現する以下の情報処理方法を実行させる。
【０２１３】
このように構成された本実施形態の情報処理装置１００の情報処理方法について、以下説明する。
図１８および図１９は、本実施形態の情報処理装置１００の動作の一例を示すフローチャートである。図１８は、第１センサＳ１と第２センサＳ２の校正を実現するための情報処理装置１００の動作の一例を示すフローチャートである。図１９は、内部センサＳ０の校正を実現するための情報処理装置１００の動作の一例を示すフローチャートである。
【０２１４】
本発明の実施の形態に係る情報処理方法は、情報処理装置１００の情報処理方法であり、情報処理装置１００を実現するコンピュータ８０により実行される情報処理方法である。
本実施形態の情報処理方法は、情報処理装置１００が、第１スマートメータＭ１と、第２センサＳ２と、から計測値をそれぞれ複数取得し（ステップＳ４１３）、第１スマートメータＭ１および第２センサＳ２の複数の計測値を取得した時の複数の指示値を取得し（ステップＳ４１７）、第１スマートメータＭ１および第２センサＳ２の複数の電力瞬時値の平均値Ｇ３、Ｇ２と、複数の計測値に対応する複数の指示値ｘの平均値Ｅをそれぞれ算出し（ステップＳ４２３、ステップＳ４２５）、算出された第２センサＳ２の平均値Ｇ２と、第１スマートメータＭ１の平均値Ｇ３と、指示値ｘの平均値Ｅとが、式（１１）、または式（１２）を満足するように、補正係数Ａを算出する（ステップＳ４２７）、ことを含む。
【０２１５】
以下、詳細に説明する。
本フローチャートは、第１センサＳ１と第２センサＳ２の校正が必要な場合において、後述する図１９の処理の前に行われる。情報処理装置１００が起動した時に開始し、その後、たとえば、所定期間（３０分間等）毎に繰り返し実行される。
【０２１６】
まず、制御部１０８が、電力ライン２０への電力の入出力を停止する（ステップＳ４０１）。具体的には、制御部１０８は、０を設定した指示値ｘをＰＣＳ４２に送信する。
【０２１７】
そして、計測値取得部１０２が、第１スマートメータＭ１、および第２センサＳ２から、計測値をそれぞれ取得する（ステップＳ４０３）。取得した各計測値は、時刻情報に関連付けて記憶装置１１０の電力瞬時値記憶部１３４または積算電力量記憶部１３６に記憶される。
【０２１８】
計測値は、電力瞬時値または積算電力量である。計測値毎の処理は上述した通りであり、ここでは詳細な説明は省略する。そして、制御部１０８は、電力ライン２０への電力の入出力の停止を解除する（ステップＳ４０５）。
【０２１９】
そして、算出部１０６が、第２センサＳ２の値と、第１スマートメータＭ１の値が、式（８）または式（１０）に示すような、所定の関係を満たすように第２センサＳ２用の第２補正係数Ｂ２を算出する（ステップＳ４０７）。
【０２２０】
算出された補正係数Ｂ２は、図示されない記憶部に記憶される。
そして、図１９のフローチャートに進む。
【０２２１】
まず、計測値取得部１０２がカウンタｉを１にセットする（ステップＳ４１１）。このカウンタｉは、各センサの計測値の平均値を算出するデータの有効な個数を示し、平均値を算出するのに必要となる所定数ｎ（たとえば、１０）になるまでインクリメントされる。（ここで、ｉとｎは１以上の自然数である。）
【０２２２】
有効なデータ数ｎは、センサ毎、周辺環境（温度）、消費電力量等に応じて設定できてよい。データ数ｎは、プログラムにより予め設定されていてもよいし、ユーザ操作または蓄電池中給のサーバ５などからの指示に従い、設定変更またはプログラム更新できる構成としてもよい。
【０２２３】
計測値取得部１０２が、第１スマートメータＭ１および第２センサＳ２から計測値（電力瞬時値）を取得する。さらに、計測値取得部１０２は、図１８の処理手順で算出された補正係数Ｂ２を第２センサＳ２の計測値に乗じて補正を行う（ステップＳ４１３）。そして、補正された値または第１スマートメータＭ１の計測値が有効であるか否かの判定を行う（ステップＳ４１５）。たとえば、値が０でないこと、さらに、値と指示値の差が所定割合未満であるか否かを判定し、全ての条件を満たした場合、ステップＳ３０７に進んでよい。１つでも条件を満たさない場合は、ステップＳ４１３に戻る。また、計測値が０でないことの判定においては、計測値の誤差を考慮して、計測値の有効桁数より小さい値は０であると判定してよい。
【０２２４】
値が有効な場合（ステップＳ４１５のＹＥＳ）、各値は時刻情報に関連付けられて図１３（ａ）の記憶装置１１０の計測値記憶部１３０に記憶される。そして、指示値取得部１０４が指示値ｘを取得し、対応する計測値に関連付けて図１３（ａ）の計測値記憶部１３０に記憶する（ステップＳ４１７）。そして、カウンタｉがインクリメントされ（ステップＳ４１９）、データ数が所定数ｎを超えたか否かを判定する（ステップＳ４２１）。
【０２２５】
図１３（ａ）に示すように、蓄電池４０の充電時には、指示値ｘは正の値となり、蓄電池４０の放電時には指示値ｘは負の値となる。
【０２２６】
ステップＳ４１５で、値が有効でないと判定された場合（ステップＳ４１５のＮＯ）、ステップＳ４１３に戻り、計測値取得部１０２が再度、計測値を取得する。
【０２２７】
そして、データ数（カウンタｉ）が所定数ｎを超えるまで、カウンタｉがｎ以下の場合（ステップＳ４２１のＮＯ）、ステップＳ４１３に戻り、計測値と指示値を収集し、計測値記憶部１３０に記憶する。
【０２２８】
データ数（カウンタｉ）が所定数ｎを超えた時（ステップＳ４２１のＹＥＳ）、算出部１０６が、複数の電力瞬時値の平均値Ｇ２を算出し、時刻情報に関連付けて図１３（ｂ）の記憶装置１１０の平均値記憶部１３２に記憶する（ステップＳ４２３）。さらに、算出部１０６が、電力瞬時値に対応する複数の指示値ｘの平均値Ｅを算出し、時刻情報と電力瞬時値の平均値Ｇ２に関連付けて指示値の平均値Ｅを平均値記憶部１３２に記憶する（ステップＳ４２５）。
【０２２９】
図１３（ｂ）に示すように、蓄電池４０の充電時には、指示値ｘの平均値は正の値となり、蓄電池４０の放電時には指示値ｘの平均値は負の値となる。
【０２３０】
算出部１０６は、平均値記憶部１３２を参照し、式（１１）を用いて、算出された第２センサＳ２の平均値Ｇ２と、第１スマートメータＭ１の平均値Ｇ３と、指示値ｘの平均値Ｅとが、式（１１）または式（１２）を満足するように、補正係数Ａを算出する（ステップＳ４２７）。算出された補正係数Ａは、上記実施形態と同様な補正係数記憶部１２６に記憶される。
【０２３１】
そして、算出部１０６は、算出された補正係数Ａを指示値ｘに乗算して指示値ｘを補正し、補正した指示値ｘをＰＣＳ４２に送信する（ステップＳ４２９）。
本処理を終了後、図１８のステップＳ４０１に戻り、所定期間毎（たとえば、３０分毎）に一連の処理を繰り返す。
【０２３２】
図示してないが、ＰＣＳ４２では、指示値ｘを制御装置５０から受信し、受信した指示値ｘを用いて電力ライン２０に入出力する電力を制御する。これにより、内部センサＳ０の誤差が校正され、指示値ｘに一致した電力が電力ライン２０に入出力されることになる。
【０２３３】
以上説明したように、電力調整システム１の情報処理装置１００において、計測値取得部１０２により取得される計測値が、指示値取得部１０４により取得される対応する指示値になるように、算出部１０６により補正係数Ａが算出される。
さらに、本実施形態では、第２スマートメータＭ２の代わりに、第１スマートメータＭ１と第２センサＳ２から取得した計測値に基づいて、算出部１０６により補正係数が算出される。このとき、第２センサＳ２の校正も、第１スマートメータＭ１で実施できる。
【０２３４】
上記実施形態と比べ、電流センサが一つでよいので、ＰＣＳ４２の入力ポートの使用が一つ不要となる。空いたＰＣＳ４２のＩ／Ｏポート（不図示）は他の機能に利用できることとなる。また、第１スマートメータＭ１は、もともと需要家宅に設置されている電力会社から支給されているものを利用できるので、設置費用も低減できる。
【０２３５】
このように、本実施形態の情報処理装置１００によれば、上記実施形態と同様な効果を奏するとともに、さらに、簡易な構成で需要家における高精度な電力制御を実現することができる。
【０２３６】
（第５の実施の形態）
次に、本発明の第５の実施の形態について、以下説明する。
図２０は、本発明の実施の形態に係る電力調整システム１のシステム構成を概念的に示す図である。
本実施形態の電力調整システム１は、上記実施形態とは、センサの温度を計測し、算出された補正係数を温度別に記憶し、データベース化する構成を有する点で相違する。
本実施形態は、図１１の実施形態の電力調整システム１に温度別補正係数データベース（図中、「ＤＢ」と示す）５２を設けた構成としているが、図１７の実施形態の電力調整システム１に組み合わせることもできる。さらに、補正係数Ａの温度別補正係数テーブル１５６を構築する構成は、他の実施形態の電力調整システム１にも矛盾のない範囲で組み合わせてもよい。
【０２３７】
たとえば、図１の実施形態の電力調整システム１に第２温度別補正係数テーブル１５６を組み合わせてもよい。この構成では、第１センサＳ１および第２センサＳ２を用いず、第２スマートメータＭ２を用いるので、補正係数Ｂ１およびＢ２の算出処理が不要となる。すなわち、第１温度別補正係数テーブル１５４は不要となる。
【０２３８】
図２１は、本発明の実施の形態に係る情報処理装置１００の構成を論理的に示す機能ブロック図である。
本実施形態の情報処理装置１００は、図１４の情報処理装置１００と同様な構成を有するとともに、さらに、温度取得部１５２を備える。
【０２３９】
温度取得部１５２は、第１センサＳ１、第２センサＳ２、および内部センサＳ０の少なくともいずれか一つのセンサ毎に、センサ周辺の測定された温度を取得する。
また、情報処理装置１００は、温度別補正係数データベース５２にアクセス可能に接続される。温度別補正係数データベース５２は、情報処理装置１００の内部に含まれてもよいし、外部装置に含まれてもよい。
【０２４０】
図２２は、本実施形態の温度別補正係数データベース５２の各テーブルのデータ構造の一例を示す図である。
温度別補正係数データベース５２は、図２２（ａ）の第１温度別補正係数テーブル１５４と、図２２（ｂ）の第２温度別補正係数テーブル１５６とを有する。
第１温度別補正係数テーブル１５４には、算出部１０６により算出された、第１センサＳ１用補正係数Ｂ１または第２センサＳ２用補正係数Ｂ２が温度毎にそれぞれ記憶される。
計測値取得部１０２は、温度取得部１５２により取得された各センサの周辺の温度に対応する補正係数Ｂ１、Ｂ２を第１温度別補正係数テーブル１５４から取得し、取得した各センサ用補正係数Ｂ１、Ｂ２を用いて各センサの計測値を補正する。この時、上記実施形態で説明した図１６または図１８のフローチャートに示される処理手順（以後、センサ補正係数算出処理と呼ぶ）は実行されない。
【０２４１】
算出部１０６は、第１温度別補正係数テーブル１５４に、温度に対応する各センサの補正係数Ｂ１、Ｂ２が記憶されていない場合、または、補正係数更新から所定の時間が経過し補正係数にズレが生じていると考えられる場合（たとえば、所定の時間とは１ヶ月等）、センサ補正係数算出処理を実行して、補正係数Ｂ１、Ｂ２を算出する。
そして、第１温度別補正係数テーブル１５４に、算出された補正係数Ｂ１、Ｂ２が温度に対応付けて記憶される。
【０２４２】
また、温度取得部１５２は、内部センサＳ０の周辺の温度を取得してもよい。
図１５（ｂ）の第２温度別補正係数テーブル１５６には、算出部１０６により算出された補正係数Ａが温度毎にそれぞれ記憶される。
制御部１０８は、取得した補正係数Ａを用いて指示値ｘを補正し、ＰＣＳ４２に送信する（図１２のステップＳ３１９または図１９のステップＳ４２９）。このとき、上記実施形態で説明した図１２または図１９のフローチャートに示される処理手順（ステップＳ３１９とステップＳ４２９を除く）（以後、補正係数算出処理と呼ぶ）は、実行されない。
【０２４３】
算出部１０６は、第２温度別補正係数テーブル１５６に、温度に対応する補正係数Ａが記憶されていない場合、または、補正係数更新から所定の時間が経過し補正係数にズレが生じていると考えられる場合（たとえば、所定の時間とは１ヶ月等）、補正係数算出処理を実行し、補正係数Ａを算出する。そして、制御部１０８は、算出された補正係数Ａを用いて指示値ｘを補正し、ＰＣＳ４２に送信する（図１２のステップＳ３１９または図１９のステップＳ４２９）。
【０２４４】
そして、第２温度別補正係数テーブル１５６に算出された補正係数Ａが温度に対応付けて記憶される。
【０２４５】
図２２（ａ）の第１温度別補正係数テーブル１５４および図２２（ｂ）の第２温度別補正係数テーブル１５６において、温度（℃）は、１℃単位となっているが、これに限定されず、温度は、１℃以上の単位であってもよいし、１℃より細かい単位であってもよい。また、温度毎の補正係数の差が所定値以内となる温度範囲毎に補正係数を保持してもよく、温度によってその範囲の幅は異なってよい。なお、現在温度に該当する温度そのものが、温度別補正係数テーブルにない場合は、その前後の温度の補正係数から按分計算で算出する。
【０２４６】
以下、本発明の実施の形態に係るコンピュータプログラムについて説明する。
本実施の形態の情報処理装置１００は、コンピュータプログラムに対応する各種の処理動作をコンピュータ８０のＣＰＵ８２が実行することにより、前述のような各種ユニットが各種機能として実現される。
【０２４７】
本実施形態のコンピュータプログラムは、情報処理装置１００を実現させるためのコンピュータに、第１センサＳ１および第２センサＳ２の少なくともいずれか一つのセンサ毎に、測定された周辺の温度を取得する手順、取得された各センサの周辺の温度に対応する補正係数を第１温度別補正係数テーブル１５４から取得する手順、取得した各センサ用補正係数を用いて各センサの計測値を補正する手順、第１温度別補正係数テーブル１５４に温度に対応する各センサの補正係数が記憶されていない場合、または、補正係数更新から所定の時間が経過し補正係数にズレが生じていると考えられる場合、当該補正係数を算出する手順、算出された、第１センサＳ１用補正係数Ｂ１または第２センサＳ２用補正係数Ｂ２を温度毎に第１温度別補正係数テーブル１５４にそれぞれ記憶する手順、を実行させるように記述されている。
【０２４８】
コンピュータプログラム９０を記録する記録媒体は、非一時的な有形のコンピュータ８０が使用可能な媒体を含み、その媒体に、コンピュータ８０が読み取り可能なプログラムコードが埋め込まれる。コンピュータプログラム９０が、コンピュータ８０上で実行されたとき、コンピュータ８０に、情報処理装置１００を実現する以下の情報処理方法を実行させる。
【０２４９】
このように構成された本実施形態の情報処理装置１００の情報処理方法について、以下説明する。
図２３は、本実施形態の情報処理装置１００の動作の一例を示すフローチャートである。
本発明の実施の形態に係る情報処理方法は、情報処理装置１００の情報処理方法であり、情報処理装置１００を実現するコンピュータ８０により実行される情報処理方法である。
本実施形態の情報処理方法は、情報処理装置１００が、第１センサＳ１および第２センサＳ２の少なくともいずれか一つのセンサ毎に、測定された周辺の温度を取得し（ステップＳ５０１）、取得された各センサの周辺の温度に対応する補正係数を第１温度別補正係数テーブル１５４から取得し（ステップＳ５０５のＹＥＳ、ステップＳ５０７）、取得した各センサ用補正係数を用いて各センサの計測値を補正し（ステップＳ５０９）、第１温度別補正係数テーブル１５４に温度に対応する各センサの補正係数が記憶されていない場合、または、補正係数更新から所定の時間が経過し補正係数にズレが生じていると考えられる場合（ステップＳ５０５のＮＯ）、当該補正係数を算出し（ステップＳ５１１）、算出された、第１センサＳ１用補正係数Ｂ１または第２センサＳ２用補正係数Ｂ２を温度毎に第１温度別補正係数テーブル１５４にそれぞれ記憶する（ステップＳ５１３）、ことを含む。
【０２５０】
以下、詳細に説明する。
まず、温度取得部１５２が、第１センサＳ１および第２センサＳ２の少なくともいずれか一つのセンサ毎に、測定された周辺の温度を取得する（ステップＳ５０１）。
計測値取得部１０２は、第１温度別補正係数テーブル１５４を参照し（ステップＳ５０３）、温度取得部１５２により取得された各センサの周辺の温度に対応する補正係数が第１温度別補正係数テーブル１５４にあるか否かを判定する（ステップＳ５０５）。
【０２５１】
温度に対応する補正係数があった場合、または、補正係数更新から所定の時間が経過し補正係数にズレが生じていると考えられる場合（ステップＳ５０５のＹＥＳ）、計測値取得部１０２は、第１温度別補正係数テーブル１５４から温度に対応する第１センサＳ１用補正係数Ｂ１および第２センサＳ２用補正係数Ｂ２を取得し（ステップＳ５０７）、取得した第１センサＳ１用補正係数Ｂ１および第２センサＳ２用補正係数Ｂ２を用いて第１センサＳ１および第２センサＳ２の計測値をそれぞれ補正する（ステップＳ５０９）。
【０２５２】
一方、温度に対応する補正係数がなかった場合（ステップＳ５０５のＮＯ）、算出部１０６は、補正係数算出処理を実行する（ステップＳ５１１）。ここで、補正係数算出処理は、図１６または図１８を用いて説明した上記実施形態の処理（図１６では、ステップＳ３３１〜ステップＳ３３７、図１８では、ステップＳ４０１〜ステップＳ４０７）とすることができる。
【０２５３】
そして、算出部１０６が、算出された第１センサＳ１用補正係数Ｂ１または第２センサＳ２用補正係数Ｂ２を温度毎に第１温度別補正係数テーブル１５４にそれぞれ記憶する（ステップＳ５１３）。そして、ステップＳ５０９に進み、計測値取得部１０２が算出された第１センサＳ１用補正係数Ｂ１または第２センサＳ２用補正係数Ｂ２を用いて第１センサＳ１および第２センサＳ２の計測値をそれぞれ補正する。
【０２５４】
このように、本実施形態の情報処理装置１００は、第１温度別補正係数テーブル１５４を利用することで、第１センサＳ１用補正係数Ｂ１または第２センサＳ２用補正係数Ｂ２の算出処理を、頻繁に短い所定期間毎に行う必要がなくなる。
【０２５５】
また、補正係数の算出処理時には、図１６のステップＳ３３１〜ステップＳ３３５、または図１８のステップＳ４０１〜ステップＳ４０５において、電力ライン２０への入出力を停止する期間が必要となる。しかし、本実施形態によれば、第１温度別補正係数テーブル１５４の補正係数を利用する場合には、電力ライン２０への入出力を停止する期間が不要となるので、校正処理による需給調整への影響を少なくすることができる。
【０２５６】
また、第１センサＳ１用補正係数Ｂ１または第２センサＳ２用補正係数Ｂ２を算出した時に、温度に対応付けて第１温度別補正係数テーブル１５４に記憶することで、温度別補正係数データベース５２を構築することができる。
【０２５７】
さらに、本実施形態の情報処理装置１００は、第１センサＳ１用補正係数Ｂ１または第２センサＳ２用補正係数Ｂ２以外に、補正係数Ａについても同様な処理手順で第２温度別補正係数テーブル１５６を利用することで、補正係数Ａの算出処理を、頻繁に短い所定期間毎に行う必要がなくなる。また、補正係数Ａを算出した時に、温度に対応付けて第２温度別補正係数テーブル１５６に記憶することで、温度別補正係数データベース５２を構築することができる。
【０２５８】
第２温度別補正係数テーブル１５６の場合、ステップＳ５０１において、温度取得部１５２は、内部センサＳ０の周辺の温度を取得する。
また、ステップＳ５１１の補正係数算出処理は、図４のステップＳ１０１〜ステップＳ１１３、図８のステップＳ２０１〜ステップＳ２１７、図１２のステップＳ３０１〜ステップＳ３１７、または、図１９のステップＳ４１１〜ステップＳ４２７の処理手順とすることができる。すなわち、温度に対応する補正係数Ａが第２温度別補正係数テーブル１５６に存在していた場合は、これらの処理手順をバイパスすることができるので、効率がよい。
【０２５９】
以上説明したように、本実施形態の情報処理装置１００において、温度取得部１５２によりセンサの温度が計測され、算出部１０６により算出された補正係数が温度別に第１温度別補正係数テーブル１５４または第２温度別補正係数テーブル１５６に記憶されてデータベース化される。
【０２６０】
そして、内部センサＳ０の校正を行う際に、温度別補正係数データベース５２に現在の温度に対応する補正係数が既に存在していれば、その値を用いることができるので、補正係数の算出処理を省略することができる。
【０２６１】
このように、本実施形態の情報処理装置１００によれば、上記実施形態と同様な効果を奏するとともに、さらに、効率よく需要家における高精度な電力制御を実現することができる。
なお、本実施形態の構成は、本発明の他の実施形態の少なくともいずれか一つの構成と矛盾のない範囲で組み合わせることができる。
【０２６２】
（第６の実施の形態）
次に、本発明の第６の実施の形態について、以下説明する。
図２４は、本発明の実施の形態に係る電力調整システム１のシステム構成を概念的に示す図である。
本実施形態の電力調整システム１は、上記実施形態とは、補正係数を指示値が示す電力別に記憶し、データベース化する構成を有する点で相違する。
本実施形態は、図１の実施形態の電力調整システム１に電力別補正係数データベース（図中、「ＤＢ」と示す）５４を設けた構成としているが、他の実施形態の電力調整システム１にも矛盾のない範囲で組み合わせてもよい。特に第５の実施形態と組み合わせることが有効である。
【０２６３】
また、たとえば、図１１または図１７の電力調整システム１と組み合わせてもよい。この構成では、指示値を異なる一定値にして入出力される電力を異なる値に設定し、異なる電力毎に第１センサＳ１および第２センサＳ２の校正用の補正係数Ｂ１およびＢ２を算出し、電力別に各補正係数を電力別補正係数データベース５４の電力別補正係数テーブル１６４にさらに格納してよい。
【０２６４】
図２５は、本発明の実施の形態に係る情報処理装置１００の構成を論理的に示す機能ブロック図である。
本実施形態の情報処理装置１００は、図１４の情報処理装置１００と同様な構成を有するとともに、さらに、データベース（図中、ＤＢと示す）構築部１６２を備える。
また、情報処理装置１００は、電力別補正係数データベース５４にアクセス可能に接続される。電力別補正係数データベース５４は、情報処理装置１００の内部に含まれてもよいし、外部装置に含まれてもよい。
【０２６５】
データベース構築部１６２は、電力別に補正係数を関連付けて電力別補正係数テーブル１６４に記憶する。データベース構築部１６２は、所定設定期間毎に、複数の異なる所定の一定値に指示値を設定する。設定された指示値は、情報処理装置１００が制御装置５０の場合は、ＰＣＳ４２に送信される。
ＰＣＳ４２では、制御装置５０から受信した指示値に従い、電力ライン２０に入出力される電力が制御され、所定設定期間毎に、電力ライン２０に入出力される電力が複数の異なる所定の一定値となる。
そして、データベース構築部１６２は、電力が一定値となった時に、算出部１０６により算出された複数の補正係数を、その電力の値と関連付けて電力別補正係数テーブル１６４に記憶する。
【０２６６】
ここで、本実施形態の計測値取得部１０２は、第２スマートメータＭ２から３０分値（３０分間隔で積算した積算電力量）を取得する。第２スマートメータＭ２が、電力量を積算する積算時間（３０分）の開始時刻と終了時刻は、たとえば、３０分値の時刻情報から取得してもよい。しかし、時刻情報を用いなくてもよく、たとえば、指示値を一定値に継続して設定する所定設定期間を第２スマートメータＭ２の積算時間（３０分）の２倍の６０分とすることで、６０分の間には、必ず第２スマートメータＭ２の３０分値の積算時間が含まれることになる。したがって、本実施形態では、所定設定期間を第２スマートメータＭ２の積算時間（３０分）の２倍の６０分とする。
【０２６７】
また、上記実施形態では、計測値取得部１０２は、所定期間（たとえば、３０分）毎に累積積算電力量を取得していた。この計測値を用いてもよく、その場合は、所定設定期間の開始時刻と終了時刻の各々で計測値を取得すればよい。この方法では、所定期間を３０分よりも短くでき（たとえば、５分等）、補正係数の算出をより短い時間間隔で行うことができる。
【０２６８】
図２６は、本実施形態の電力別補正係数データベース５４の電力別補正係数テーブル１６４のデータ構造の一例を示す図である。
データベース構築部１６２には、算出部１０６により算出された補正係数Ａが温度毎にそれぞれ記憶される。
図２６の電力別補正係数テーブル１６４において、電力（Ｗ）は、１００Ｗ単位となっているが、これに限定されず、電力は、１００Ｗより大きい単位であってもよいし、１００Ｗより小さい単位であってもよい。また、電力毎の補正係数の差が所定値以内となる電力の範囲毎に補正係数を保持してもよく、電力の値によってその範囲の幅は異なってよい。なお、補正係数が必要な電力に該当する補正係数が、電力別補正係数テーブル１６４にない場合は、その上下の電力の補正係数から按分計算で算出する。
【０２６９】
そして、本実施形態においても、上記実施形態と同様に、電力別補正係数テーブル１６４の補正係数を用いることができる。
すなわち、制御部１０８は、電力別補正係数テーブル１６４に、指示値が示す電力に対応する補正係数Ａが記憶されている場合、電力別補正係数テーブル１６４から取得した補正係数Ａを用いて指示値ｘを補正し、ＰＣＳ４２に送信する（図４のステップＳ１１５）。このとき、上記実施形態で説明した図４のステップＳ１１３（以後、補正係数算出処理と呼ぶ）は、実行されない。なお、電力別補正係数テーブル１６４をＰＣＳ４２が有する場合は、指示値ｘの補正はＰＣＳ４２にて実施される。
【０２７０】
算出部１０６は、電力別補正係数テーブル１６４に、指示値が示す電力に対応する補正係数Ａが記憶されていない場合、または、補正係数更新から所定の時間が経過し補正係数にズレが生じていると考えられる場合（たとえば、所定の時間とは１ヶ月等）、補正係数算出処理（図４のステップＳ１１３）を実行し、補正係数Ａを算出する。そして、制御部１０８は、算出された補正係数Ａを用いて指示値ｘを補正し、ＰＣＳ４２に送信する（図４のステップＳ１１５）。
【０２７１】
以下、本発明の実施の形態に係るコンピュータプログラムについて説明する。
本実施の形態の情報処理装置１００は、コンピュータプログラムに対応する各種の処理動作をコンピュータ８０のＣＰＵ８２が実行することにより、前述のような各種ユニットが各種機能として実現される。
【０２７２】
本実施形態のコンピュータプログラムは、情報処理装置１００を実現させるためのコンピュータに、所定設定期間毎に、複数の異なる所定の一定値に設定された指示値に従い、電力ライン２０に入出力される電力を所定設定期間毎に、複数の異なる所定の一定値とする手順、入出力される電力が複数の異なる所定の一定値となった所定設定期間毎の積算電力量を第２スマートメータＭ２からそれぞれ取得する手順、積算電力量が所定設定期間毎の積算電力量が対応する指示値を所定設定期間毎に積算した積算指示値となるように、補正係数を算出する手順、算出された複数の補正係数を、複数の異なる所定の一定値に設定された指示値がそれぞれ示す複数の電力に関連付けて電力別補正係数テーブル１６４に記憶する手順、を実行させるように記述されている。
【０２７３】
コンピュータプログラム９０を記録する記録媒体は、非一時的な有形のコンピュータ８０が使用可能な媒体を含み、その媒体に、コンピュータ８０が読み取り可能なプログラムコードが埋め込まれる。コンピュータプログラム９０が、コンピュータ８０上で実行されたとき、コンピュータ８０に、情報処理装置１００を実現する以下の情報処理方法を実行させる。
【０２７４】
このように構成された本実施形態の情報処理装置１００の情報処理方法について、以下説明する。
図２７および図２８は、本実施形態の情報処理装置１００の動作の一例を示すフローチャートである。図２７は、電力別補正係数テーブル１６４の構築処理の手順の一例を示すフローチャートである。図２８は、電力別補正係数テーブル１６４を用いた補正処理の手順の一例を示すフローチャートである。
【０２７５】
本発明の実施の形態に係る情報処理方法は、情報処理装置１００の情報処理方法であり、情報処理装置１００を実現するコンピュータ８０により実行される情報処理方法である。
図２７に示すように、本実施形態の情報処理方法は、情報処理装置１００が、所定設定期間毎に、複数の異なる所定の一定値に設定された指示値に従い、電力ライン２０に入出力される電力を所定設定期間毎に、複数の異なる所定の一定値とし（ステップＳ６０１）、入出力される電力が複数の異なる所定の一定値となった所定設定期間毎の積算電力量を第２スマートメータＭ２からそれぞれ取得し（ステップＳ６０３）、積算電力量が所定設定期間毎の積算電力量が対応する指示値を所定設定期間毎に積算した積算指示値となるように、補正係数を算出し（ステップＳ６０５）、算出された複数の補正係数を、複数の異なる所定の一定値に設定された指示値がそれぞれ示す複数の電力に関連付けて電力別補正係数テーブル１６４に記憶する（ステップＳ６０７）、ことを含む。
【０２７６】
本実施形態の情報処理装置１００のデータベース構築部１６２は、上記処理を、指示値を変えて複数の異なる電力で繰り返し実行し、電力別の補正係数を算出し、保存することで、電力別補正係数データベース５４を構築する。
【０２７７】
さらに、図２８に示すように、本実施形態の情報処理方法は、情報処理装置１００が、指示値を取得し（ステップＳ６１１）、電力別補正係数テーブル１６４を参照し（ステップＳ６１３）、取得した指示値が示す電力に対応する補正係数が電力別補正係数テーブル１６４にある場合（ステップＳ６１３のＹＥＳ）、補正係数を取得し（ステップＳ６１７）、取得した各センサ用補正係数を用いて各センサの計測値を補正し（ステップＳ６１９）、電力別補正係数テーブル１６４に指示値が示す電力に対応する補正係数が記憶されていない場合、または、補正係数更新から所定の時間が経過し補正係数にズレが生じていると考えられる場合（ステップＳ６１５のＮＯ）、当該補正係数を算出し（ステップＳ６２１）、算出された、補正係数Ａを電力毎に電力別補正係数テーブル１６４にそれぞれ記憶する（ステップＳ６２３）、ことを含む。
【０２７８】
また、図２７の処理手順により、全ての電力について補正係数が電力別補正係数テーブル１６４に関連付けて記憶されていた場合は、図２８のステップＳ６１５、ステップＳ６２１、ステップＳ６２３は不要となる。
【０２７９】
以上説明したように、本実施形態の情報処理装置１００において、異なる電力毎に、算出部１０６により算出された補正係数が電力別補正係数テーブル１６４に記憶されてデータベース化される。
【０２８０】
そして、内部センサＳ０の校正を行う際に、電力別補正係数データベース５４に現在の指示値が示す電力に対応する補正係数が既に存在していれば、その値を用いることができるので、補正係数の算出処理を省略することができる。
【０２８１】
このように、本実施形態の情報処理装置１００によれば、上記実施形態と同様な効果を奏するとともに、さらに、効率よく需要家における高精度な電力制御を実現することができる。
なお、本実施形態の構成は、本発明の他の実施形態の少なくともいずれか一つの構成と矛盾のない範囲で組み合わせることができる。
【０２８２】
また、上記第５の実施形態および第６の実施の形態において、各データベースは、温度または電力に応じた補正係数だけでなく、蓄電池４０の積算充放電量、または使用期間別の補正係数Ａを各テーブルとして持ち、データベースに格納してもよい。すなわち、センサの利用負荷や経年による劣化により、センサの誤差が増大するので、その特性に沿った補正係数を予めデータベース化して用いてもよい。
【０２８３】
ここで、積算充放電量が多い程、または、使用期間が長い程、センサの劣化が進む可能性が考えられる。すなわち、積算充放電量が多い程、または、使用期間が長い程、誤差が大きくなる。センサに誤差がない場合の補正係数は１であり、誤差が大きくなる程、補正係数は、１との差の絶対値が大きくなる。つまり、積算充放電量や使用期間に基づいて、補正係数が決まる。詳細に説明すると、積算充放電量が多い程、または、使用期間が長い程、補正係数は、１との差の絶対値が大きくなる。（たとえば、０．９９→０．９７→０．９５、あるいは、１．０１→１．０２→１．０４と誤差の増大に応じて変化する。）
【０２８４】
この経年劣化特性による補正係数も、温度別または電力別の補正係数とさらに組み合わせて、あるいは、現在の計測値から算出される補正係数と組み合わせて、用いることができる。複数の補正係数の組み合わせ方は様々考えられ、限定されない。たとえば、各補正係数に重み付け係数をそれぞれ乗じて（重み付け係数の合計は１）加算してもよい。
【０２８５】
（第７の実施の形態）
次に、本発明の第７の実施の形態について、以下説明する。
図２９は、本発明の実施の形態に係る情報処理装置１００の構成を論理的に示す機能ブロック図である。
本実施形態の情報処理装置１００は、本発明の情報処理装置１００の最小構成を有する。
すなわち、情報処理装置１００は、計測値取得部１０２と、指示値取得部１０４と、算出部１０６と、を有する。
【０２８６】
計測値取得部１０２は、電力系統と負荷の間の電力ラインに流れる電力に関する計測値を取得する。
指示値取得部１０４は、蓄電池４０から電力ラインに入出力すべき電力を示す指示値を取得する。
算出部１０６は、指示値に従い蓄電池４０から入出力される電力が制御されて電力ライン２０に入出力されたとき、計測値が、対応する指示値になるように、指示値を補正する補正係数を算出する。
【０２８７】
以下、本発明の実施の形態に係るコンピュータプログラムについて説明する。
本実施の形態の情報処理装置１００は、コンピュータプログラムに対応する各種の処理動作をコンピュータ８０のＣＰＵ８２が実行することにより、前述のような各種ユニットが各種機能として実現される。
【０２８８】
本実施形態のコンピュータプログラムは、情報処理装置１００を実現させるためのコンピュータに、電力系統と負荷の間の電力ラインに流れる電力に関する計測値を取得する手順、蓄電池４０から電力ラインに入出力すべき電力を示す指示値を取得する手順、指示値に従い蓄電池４０から入出力される電力が制御されて電力ライン２０に入出力されたとき、計測値が、対応する指示値になるように、指示値を補正する補正係数を算出する手順、を実行させるように記述されている。
【０２８９】
コンピュータプログラム９０を記録する記録媒体は、非一時的な有形のコンピュータ８０が使用可能な媒体を含み、その媒体に、コンピュータ８０が読み取り可能なプログラムコードが埋め込まれる。コンピュータプログラム９０が、コンピュータ８０上で実行されたとき、コンピュータ８０に、情報処理装置１００を実現する以下の情報処理方法を実行させる。
【０２９０】
このように構成された本実施形態の情報処理装置１００の情報処理方法について、以下説明する。
図３０は、本実施形態の情報処理装置１００の動作の一例を示すフローチャートである。
本発明の実施の形態に係る情報処理方法は、情報処理装置１００の情報処理方法であり、情報処理装置１００を実現するコンピュータ８０により実行される情報処理方法である。
本実施形態の情報処理方法は、情報処理装置１００が、電力系統１０と負荷１２の間の電力ライン２０に流れる電力に関する計測値を取得し（ステップＳ７０１）、蓄電池４０から電力ラインに入出力すべき電力を示す指示値を取得し（ステップＳ７０３）、指示値に従い蓄電池４０から入出力される電力が制御されて電力ライン２０に入出力されたとき、計測値が、対応する指示値になるように、指示値を補正する補正係数を算出する（ステップＳ７０５）、ことを含む。
【０２９１】
以上説明したように、電力調整システム１の情報処理装置１００において、計測値取得部１０２により取得される計測値が、指示値取得部１０４により取得される対応する指示値になるように、算出部１０６により補正係数Ａが算出される。
【０２９２】
このように、本実施形態の情報処理装置１００によれば、需要家において高精度な電力制御を実現することができる。
【０２９３】
以上、図面を参照して本発明の実施形態について述べたが、これらは本発明の例示であり、上記以外の様々な構成を採用することもできる。
たとえば、情報処理装置１００がＰＣＳ４２により実現される構成について、以下説明する。
図３１は、本実施形態の電力調整システム１のシステム構成を概念的に示す図である。
本実施形態の電力調整システム１は、図１と同様な構成を有する。図１との差異は、情報処理装置１００が制御装置５０ではなく、ＰＣＳ４２により実現されることである。
【０２９４】
図３２は、本発明の実施の形態に係る情報処理装置１００の構成を論理的に示す機能ブロック図である。
本実施形態の情報処理装置１００は、図１４と同様な構成を有するとともに、さらに、内部センサＳ０を有する。
また、ＰＣＳ４２は、第２スマートメータＭ２から計測値をＢルートで無線通信により受信する通信部（図２の通信Ｉ／Ｆ８７）を有するものとする。あるいは、第２スマートメータＭ２の計測値を制御装置５０から取得する構成としてもよい。
制御部１０８は、指示値取得部１０４が取得する指示値と内部センサＳ０の計測値を用いて、電力ライン２０に入出力される電力を制御する。
【０２９５】
さらに、制御部１０８は、算出された補正係数Ａを用いて、指示値を補正する。具体的には、指示値取得部１０４が取得した指示値を補正係数Ａで補正し、電力ライン２０に入出力される電力を制御する。
【０２９６】
図３３は、本実施形態の情報処理装置１００の動作の一例を示すフローチャートである。
図３３に示される本実施形態の処理手順は、情報処理装置１００が制御装置５０により実現される上記実施形態の図４の処理手順と同じステップＳ１０１、ステップＳ１０５〜ステップＳ１１３を有する。
さらに、図３３の処理手順は、ステップＳ８０３と、ステップＳ８１５を有する。
すなわち、ステップＳ８０３で、指示値取得部１０４が、制御装置５０から指示値ｘを取得する。また、ステップＳ８１５で、制御部１０８が、ステップＳ１１３で算出された補正係数Ａを用いて指示値ｘを補正し、電力ライン２０に入出力される電力を制御する。
【０２９７】
この構成によれば、情報処理装置１００がＰＣＳ４２により実現される場合でも、上記実施形態と同様に補正係数Ａを算出することができ、上記実施形態と同様な効果を奏することができる。
なお、本実施形態の構成は、上述した他の実施形態の少なくともいずれか一つの構成と矛盾のない範囲で組み合わせることができる。
【０２９８】
また、情報処理装置１００が制御装置５０により実現される実施形態において、情報処理装置１００は、さらに、補正部２０２と、送信部２０４と、を有することができる。
図３４は、本発明の実施の形態に係る情報処理装置１００の構成を論理的に示す機能ブロック図である。
補正部２０２は、算出された補正係数Ａを用いて指示値を補正する。
送信部２０４は、ＰＣＳ４２に、補正された指示値を送信する。
【０２９９】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者に関する情報を取得、利用する場合は、これを適法に行うものとする。
【０３００】
以下、参考形態の例を付記する。
１．  情報処理装置が、
電力系統と負荷の間の電力ラインに流れる電力に関する計測値を取得し、
蓄電装置から前記電力ラインに入出力すべき電力を示す指示値を取得し、
前記指示値に従い前記蓄電装置から入出力される電力が制御されて前記電力ラインに入出力されたとき、前記計測値が、対応する前記指示値になるように、前記指示値を補正する補正係数を算出する情報処理装置の情報処理方法。
２．  １．に記載に情報処理方法において、
前記情報処理装置が、
所定期間毎に前記補正係数を算出する情報処理方法。
３．  １．または２．に記載の情報処理方法において、
前記情報処理装置が、
前記計測値として、前記電力ラインに入出力される前記電力の積算電力量を計測する第１の電力量計から所定期間毎の前記積算電力量を取得し、
前記積算電力量が所定値を超えた場合に、前記積算電力量と、前記指示値を前記所定期間、積算した積算指示値とが所定の関係を満たす補正係数を求める情報処理方法。
４．  ３．に記載の情報処理方法において、
前記情報処理装置が、
前記積算指示値を前記積算電力量で除して前記補正係数を算出する情報処理方法。
５．  ３．または４．に記載の情報処理方法において、
前記情報処理装置が、
前記所定値は、前記第１の電力量計の前記計測値の有効桁数の所定倍数である情報処理方法。
６．  １．から５．いずれか一つに記載の情報処理方法において、
前記情報処理装置が、
前記電力ラインに入出力される前記電力の電力瞬時値を計測する第１の電力量計から前記計測値として少なくとも一つの前記電力瞬時値を取得し、
少なくとも一つの前記電力瞬時値を取得した時の少なくとも一つの前記指示値を取得し、
前記第１の電力量計から取得した少なくとも一つの前記電力瞬時値、および当該電力瞬時値に対応する前記指示値を用いて前記補正係数を算出する情報処理方法。
７．  ６．に記載の情報処理方法において、
前記情報処理装置が、
前記第１の電力量計から取得した複数の前記電力瞬時値の平均値と、複数の前記指示値の平均値とが所定の関係を満たす前記補正係数を求める情報処理方法。
８．  ６．に記載の情報処理方法において、
前記情報処理装置が、
前記第１の電力量計から取得した複数の前記電力瞬時値の積算値と、複数の前記指示値の積算値とが所定の関係を満たす前記補正係数を求める情報処理方法。
９．  ６．から８．いずれか１つに記載の情報処理方法において、
前記情報処理装置が、
前記指示値、前記指示値の平均値または積算値を前記電力瞬時値、前記電力瞬時値の平均値または積算値で除して前記補正係数を算出する情報処理方法。
１０．  ３．から９．いずれか一つに記載の情報処理方法において、
前記情報処理装置が、
前記第１の電力量計から通信により前記計測値を取得する情報処理方法。
１１．  ３．から１０．いずれか一つに記載の情報処理方法において、
前記情報処理装置が、
前記電力ラインに入出力される電力に対応する、算出された前記補正係数を関連付けて電力別補正係数記憶装置に記憶する情報処理方法。
１２．  １１．に記載の情報処理方法において、
前記情報処理装置が、
所定設定期間毎に、複数の異なる所定の一定値に設定された前記指示値に従い、前記電力ラインに入出力される電力を前記所定設定期間毎に、前記複数の異なる所定の一定値とした時に、
前記入出力される電力が前記複数の異なる所定の一定値となった前記所定設定期間の前記積算電力量を前記第１の電力量計からそれぞれ取得し、
前記積算電力量が前記所定設定期間毎の前記積算電力量が対応する前記指示値を所定期間毎に積算した前記積算指示値となるように、前記補正係数を算出し、
算出された複数の前記補正係数を、複数の前記異なる所定の一定値に設定された前記指示値がそれぞれ示す複数の前記電力に関連付けて前記電力別補正係数記憶装置に記憶する情報処理方法。
１３．  １．から１２．いずれか一つに記載の情報処理方法において、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記情報処理装置が、
前記第１電力ラインの電力瞬時値を計測する第１センサと、前記第２電力ラインの電力瞬時値を計測する第２センサから、前記第１センサと前記第２センサの各々について少なくとも一つの電力瞬時値を前記計測値としてそれぞれ取得し、
前記第１センサおよび前記第２センサの各々について少なくとも一つの前記計測値を取得した時の少なくとも一つの前記指示値を取得し、
前記第１センサおよび前記第２センサの各々について少なくとも一つの前記電力瞬時値と、当該計測値に対応する前記指示値とを用いて前記補正係数を算出する情報処理方法。
１４．  １３．に記載の情報処理方法において、
前記情報処理装置が、
前記第１センサおよび前記第２センサの各々について複数の前記電力瞬時値の平均値と、複数の前記計測値に対応する前記指示値の平均値をそれぞれ算出し、
複数の前記電力瞬時値の平均値と、複数の前記指示値の平均値とが所定の関係を満たす前記補正係数を求める情報処理方法。
１５．  １３．に記載の情報処理方法において、
前記情報処理装置が、
前記第１センサおよび前記第２センサの各々について複数の前記電力瞬時値の積算値と、複数の前記計測値に対応する前記指示値の積算値をそれぞれ算出し、
複数の前記電力瞬時値の積算値と、複数の前記指示値の積算値とが所定の関係を満たす前記補正係数を求める情報処理方法。
１６．  １３．から１５．いずれか一つに記載の情報処理方法において、
前記情報処理装置が、
前記電力ラインへの電力の入出力を停止し、
前記電力ラインへの電力の入出力が停止されたとき、前記電力系統から前記電力ラインに供給される電力を計測する第２の電力量計、前記第１センサおよび前記第２センサから前記計測値をそれぞれ取得し、
前記第２の電力量計、前記第１センサおよび前記第２センサの前記計測値を用いて、前記第１センサおよび前記第２センサの前記計測値が、対応する前記第２の電力量計の前記計測値にそれぞれなるように、前記第１センサおよび前記第２センサの前記計測値を補正する第１センサ用補正係数および第２センサ用補正係数をそれぞれ算出し、
前記第１センサ用補正係数および前記第２センサ用補正係数をそれぞれ用いて前記第１センサおよび前記第２センサの前記計測値をそれぞれ補正し、
前記第１センサおよび前記第２センサの補正された前記計測値を用いて、前記補正係数を算出する情報処理方法。
１７．  １６．に記載の情報処理方法において、
前記情報処理装置が、
前記第２の電力量計から通信により前記計測値を取得する情報処理方法。
１８．  １．または２．に記載の情報処理方法において、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記情報処理装置が、
前記電力系統から前記電力ラインに供給される電力を計測する第２の電力量計と、前記第２電力ラインの電力瞬時値を計測する第２センサから電力瞬時値を前記計測値としてそれぞれ少なくとも一つずつ取得し、
前記第２の電力量計および前記第２センサの各々について少なくとも一つの前記計測値を取得した時の前記指示値を取得し、
前記第２の電力量計および前記第２センサの各々について少なくとも一つの前記電力瞬時値と、少なくとも一つの前記計測値に対応する前記指示値とを用いて前記補正係数を算出する情報処理方法。
１９．  １８．に記載の情報処理方法において、
前記情報処理装置が、
前記第２の電力量計および前記第２センサの各々について複数の前記電力瞬時値の平均値と、複数の前記計測値に対応する前記指示値の平均値をそれぞれ算出し、
複数の前記電力瞬時値の平均値と、複数の前記指示値の平均値とが所定の関係を満たす前記補正係数を求める情報処理方法。
２０．  １８．に記載の情報処理方法において、
前記情報処理装置が、
前記第２の電力量計および前記第２センサの各々について複数の前記電力瞬時値の積算値と、複数の前記計測値に対応する前記指示値の積算値をそれぞれ算出し、
複数の前記電力瞬時値の積算値と、複数の前記指示値の積算値とが所定の関係を満たす前記補正係数を求める情報処理方法。
２１．  １８．から２０．いずれか一つに記載の情報処理方法において、
前記情報処理装置が、
前記電力ラインへの電力の入出力が停止されたとき、前記第２の電力量計および前記第２センサから前記計測値をそれぞれ取得し、
前記第２の電力量計および前記第２センサの前記計測値を用いて、前記第２センサの前記計測値が、対応する前記第２の電力量計の前記計測値にそれぞれなるように、前記第２センサの前記計測値を補正する第２センサ用補正係数を算出し、
前記第２センサ用補正係数をそれぞれ用いて前記第２センサの前記計測値をそれぞれ補正し、
前記第２センサの補正された前記計測値を用いて、前記補正係数を算出する情報処理方法。
２２．  １６．から２１．いずれか一つに記載の情報処理方法において、
前記情報処理装置が、
前記第１センサおよび前記第２センサの少なくともいずれか一つのセンサ毎に、測定された周辺の温度を取得し、
算出された、前記センサ１用補正係数または前記センサ２用補正係数を温度毎にそれぞれ温度別補正係数記憶装置に記憶し、
取得された各前記センサの周辺の前記温度に対応する補正係数を前記温度別補正係数記憶装置から取得し、取得した各センサ用補正係数を用いて前記各センサの前記計測値を補正し、
前記温度別補正係数記憶装置に前記温度に対応する前記各センサの前記補正係数が記憶されていない場合、当該補正係数を算出し、
前記温度別補正係数記憶装置に、算出された前記補正係数を前記温度に対応付けて記憶する情報処理方法。
２３．  １．から１２．いずれか一つに記載の情報処理方法において、
前記情報処理装置が、
前記第１の電力量計の周辺の温度を測定する温度測定装置から、測定された周辺の温度を取得し、
前記補正係数を温度毎に温度別補正係数記憶をそれぞれ記憶し、
取得された前記第１の電力量計の周辺の前記温度に対応する補正係数を前記温度別補正係数記憶装置から取得し、取得した前記補正係数を用いて前記第１の電力量計の前記計測値を補正し、
前記温度別補正係数記憶装置に前記温度に対応する前記第１の電力量計の前記補正係数が記憶されていない場合、当該補正係数を算出し、
前記温度別補正係数記憶装置は、算出された前記補正係数を前記温度に対応付けて記憶する情報処理方法。
２４．  ２２．または２３．に記載の情報処理方法において、
前記情報処理装置が、
前記電力ラインに入出力される電力を計測する内部センサの周辺の温度を取得し、
前記温度別補正係数記憶装置に、算出された前記補正係数を温度毎に記憶し、
前記電力ラインと、前記蓄電装置との間に電気的に接続される制御装置が、取得された前記内部センサの周辺の前記温度に対応する補正係数を前記温度別補正係数記憶装置から取得し、取得した前記補正係数を用いて前記電力ラインに入出力される電力を補正し、
前記温度別補正係数記憶装置に前記温度に対応する前記補正係数が記憶されていない場合、当該補正係数を算出し、
前記温度別補正係数記憶装置は、算出された補正係数を前記温度に対応付けて記憶する情報処理方法。
２５．  １．から２４．いずれか一つに記載の情報処理方法において、
前記情報処理装置が、
単位時間当たりの周辺の温度変化が第１閾値以上の場合、前記計測値を取得、前記指示値を取得、および前記補正係数を算出する前記所定期間を短くし、
単位時間当たりの周辺の前記温度変化が前記第１閾値より小さい第２閾値未満の場合、前記計測値を取得、前記指示値を取得、および前記補正係数を算出する前記所定期間を長くする情報処理方法。
２６．  １．から２５．いずれか一つに記載の情報処理方法において、
前記情報処理装置が、
前記計測値として複数の電力瞬時値を取得する際、
取得された前記計測値の変動幅または前記計測値に対する変動割合が第１所定値未満の場合、または、周辺温度の変動幅が第３所定値未満の場合、前記所定期間内に取得する前記計測値の個数を減らす、あるいは、各前記計測値を取得する間隔を長くし、
取得された前記計測値の変動幅または前記計測値に対する変動割合が第１所定値より大きい第２所定値以上の場合、または、前記周辺温度の変動幅が第３所定値より大きい第４所定値以上の場合、前記所定期間内に取得する前記計測値の個数を増やす、あるいは、各前記計測値を取得する間隔を短くする情報処理方法。
２７．  １．から２６．いずれか一つに記載の情報処理方法において、
前記情報処理装置が、
算出された前記補正係数を用いて前記指示値を補正し、
前記電力ラインと、前記蓄電装置との間に電気的に接続される制御装置に、補正された前記指示値を送信する情報処理方法。
２８．  １．から２７．いずれか一つに記載の情報処理方法において、
前記情報処理装置が、
前記指示値と前記電力ラインに入出力される電力を計測する内部センサの計測値を用いて、前記電力ラインに入出力される電力を制御する情報処理方法。
２９．  ２８．に記載の情報処理方法において、
前記情報処理装置が、
算出された前記補正係数を用いて、前記指示値を補正する情報処理方法。
【０３０１】
３０．  コンピュータに、
電力系統と負荷の間の電力ラインに流れる電力に関する計測値を取得する手順、
蓄電装置から前記電力ラインに入出力すべき電力を示す指示値を取得する手順、
前記指示値に従い前記蓄電装置から入出力される電力が制御されて前記電力ラインに入出力されたとき、前記計測値が、対応する前記指示値になるように、前記指示値を補正する補正係数を算出する手順、を実行させるためのプログラム。
３１．  ３０．に記載に情報処理装置において、
所定期間毎に前記補正係数を算出する手順をコンピュータに実行させるためのプログラム。
３２．  ３０．または３１．に記載のプログラムにおいて、
前記計測値として、前記電力ラインに入出力される前記電力の積算電力量を計測する第１の電力量計から所定期間毎の前記積算電力量を取得する手順、
前記積算電力量が所定値を超えた場合に、前記積算電力量と、前記指示値を前記所定期間、積算した積算指示値とが所定の関係を満たす補正係数を求める手順をコンピュータに実行させるためのプログラム。
３３．  ３２．に記載のプログラムにおいて、
前記積算指示値を前記積算電力量で除して前記補正係数を算出する手順をコンピュータに実行させるためのプログラム。
３４．  ３２．または３３．に記載のプログラムにおいて、
前記所定値は、前記第１の電力量計の前記計測値の有効桁数の所定倍数であるプログラム。
３５．  ３０．から３４．いずれか一つに記載のプログラムにおいて、
前記電力ラインに入出力される前記電力の電力瞬時値を計測する第１の電力量計から前記計測値として少なくとも一つの前記電力瞬時値を取得する手順、
少なくとも一つの前記電力瞬時値を取得した時の少なくとも一つの前記指示値を取得する手順、
前記第１の電力量計から取得した少なくとも一つの前記電力瞬時値、および当該電力瞬時値に対応する前記指示値を用いて前記補正係数を算出する手順をコンピュータに実行させるためのプログラム。
３６．  ３５．に記載のプログラムにおいて、
前記第１の電力量計から取得した複数の前記電力瞬時値の平均値と、複数の前記指示値の平均値とが所定の関係を満たす前記補正係数を求める手順をコンピュータに実行させるためのプログラム。
３７．  ３５．に記載のプログラムにおいて、
前記第１の電力量計から取得した複数の前記電力瞬時値の積算値と、複数の前記指示値の積算値とが所定の関係を満たす前記補正係数を求める手順をコンピュータに実行させるためのプログラム。
３８．  ３５．から３７．いずれか一つに記載のプログラムにおいて、
前記指示値、前記指示値の平均値または積算値を前記電力瞬時値、前記電力瞬時値の平均値または積算値で除して前記補正係数を算出する手順をコンピュータに実行させるためのプログラム。
３９．  ３２．から３８．いずれか一つに記載のプログラムにおいて、
前記第１の電力量計から通信により前記計測値を取得する手順をコンピュータに実行させるためのプログラム。
４０．  ３２．から３９．いずれか一つに記載のプログラムにおいて、
前記電力ラインに入出力される電力に対応する、算出された前記補正係数を関連付けて電力別補正係数記憶装置に記憶する手順をコンピュータに実行させるためのプログラム。
４１．  ４０．に記載のプログラムにおいて、
所定設定期間毎に、複数の異なる所定の一定値に設定された前記指示値に従い、前記電力ラインに入出力される電力を前記所定設定期間毎に、前記複数の異なる所定の一定値とした時に、
前記入出力される電力が前記複数の異なる所定の一定値となった前記所定設定期間の前記積算電力量を前記第１の電力量計からそれぞれ取得する手順、
前記積算電力量が前記所定設定期間毎の前記積算電力量が対応する前記指示値を所定期間毎に積算した前記積算指示値となるように、前記補正係数を算出する手順、
算出された複数の前記補正係数を、複数の前記異なる所定の一定値に設定された前記指示値がそれぞれ示す複数の前記電力に関連付けて前記電力別補正係数記憶装置に記憶する手順をコンピュータに実行させるためのプログラム。
４２．  ３０．から４１．いずれか一つに記載のプログラムにおいて、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記第１電力ラインの電力瞬時値を計測する第１センサと、前記第２電力ラインの電力瞬時値を計測する第２センサから、前記第１センサと前記第２センサの各々について少なくとも一つの電力瞬時値を前記計測値としてそれぞれ取得する手順、
前記第１センサおよび前記第２センサの各々について少なくとも一つの前記計測値を取得した時の少なくとも一つの前記指示値を取得する手順、
前記第１センサおよび前記第２センサの各々について少なくとも一つの前記電力瞬時値と、当該計測値に対応する前記指示値とを用いて前記補正係数を算出する手順をコンピュータに実行させるためのプログラム。
４３．  ４２．に記載のプログラムにおいて、
前記第１センサおよび前記第２センサの各々について複数の前記電力瞬時値の平均値と、複数の前記計測値に対応する前記指示値の平均値をそれぞれ算出する手順、
複数の前記電力瞬時値の平均値と、複数の前記指示値の平均値とが所定の関係を満たす前記補正係数を求める手順をコンピュータに実行させるためのプログラム。
４４．  ４２．に記載のプログラムにおいて、
前記第１センサおよび前記第２センサの各々について複数の前記電力瞬時値の積算値と、複数の前記計測値に対応する前記指示値の積算値をそれぞれ算出する手順、
複数の前記電力瞬時値の積算値と、複数の前記指示値の積算値とが所定の関係を満たす前記補正係数を求める手順をコンピュータに実行させるためのプログラム。
４５．  ４２．から４４．いずれか一つに記載のプログラムにおいて、
前記電力ラインへの電力の入出力を停止する手順、
前記入出力を停止する手順において、前記電力ラインへの電力の入出力が停止されたとき、前記電力系統から前記電力ラインに供給される電力を計測する第２の電力量計、前記第１センサおよび前記第２センサから前記計測値をそれぞれ取得する手順、
前記第２の電力量計、前記第１センサおよび前記第２センサの前記計測値を用いて、前記第１センサおよび前記第２センサの前記計測値が、対応する前記第２の電力量計の前記計測値にそれぞれなるように、前記第１センサおよび前記第２センサの前記計測値を補正する第１センサ用補正係数および第２センサ用補正係数をそれぞれ算出する手順、
前記第１センサ用補正係数および前記第２センサ用補正係数をそれぞれ用いて前記第１センサおよび前記第２センサの前記計測値をそれぞれ補正する手順、
前記第１センサおよび前記第２センサの補正された前記計測値を用いて、前記補正係数を算出する手順をコンピュータに実行させるためのプログラム。
４６．  ４５．に記載のプログラムにおいて、
前記第２の電力量計から通信により前記計測値を取得する手順をコンピュータに実行させるためのプログラム。
４７．  ３０．または３１．に記載のプログラムにおいて、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記電力系統から前記電力ラインに供給される電力を計測する第２の電力量計と、前記第２電力ラインの電力瞬時値を計測する第２センサから電力瞬時値を前記計測値としてそれぞれ少なくとも一つずつ取得する手順、
前記第２の電力量計および前記第２センサの各々について少なくとも一つの前記計測値を取得した時の前記指示値を取得する手順、
前記第２の電力量計および前記第２センサの各々について少なくとも一つの前記電力瞬時値と、少なくとも一つの前記計測値に対応する前記指示値とを用いて前記補正係数を算出する手順をコンピュータに実行させるためのプログラム。
４８．  ４７．に記載のプログラムにおいて、
前記第２の電力量計および前記第２センサの各々について複数の前記電力瞬時値の平均値と、複数の前記計測値に対応する前記指示値の平均値をそれぞれ算出する手順、
複数の前記電力瞬時値の平均値と、複数の前記指示値の平均値とが所定の関係を満たす前記補正係数を求める手順をコンピュータに実行させるためのプログラム。
４９．  ４７．に記載のプログラムにおいて、
前記第２の電力量計および前記第２センサの各々について複数の前記電力瞬時値の積算値と、複数の前記計測値に対応する前記指示値の積算値をそれぞれ算出する手順、
複数の前記電力瞬時値の積算値と、複数の前記指示値の積算値とが所定の関係を満たす前記補正係数を求める手順をコンピュータに実行させるためのプログラム。
５０．  ４７．から４９．いずれか一つに記載のプログラムにおいて、
前記電力ラインへの電力の入出力を停止する手順、
前記入出力を停止する手順において、前記電力ラインへの電力の入出力が停止されたとき、前記第２の電力量計および前記第２センサから前記計測値をそれぞれ取得する手順、
前記第２の電力量計および前記第２センサの前記計測値を用いて、前記第２センサの前記計測値が、対応する前記第２の電力量計の前記計測値にそれぞれなるように、前記第２センサの前記計測値を補正する第２センサ用補正係数を算出する手順、
前記第２センサ用補正係数をそれぞれ用いて前記第２センサの前記計測値をそれぞれ補正する手順、
前記第２センサの補正された前記計測値を用いて、前記補正係数を算出する手順をコンピュータに実行させるためのプログラム。
５１．  ４５．から５０．いずれか一つに記載のプログラムにおいて、
前記第１センサおよび前記第２センサの少なくともいずれか一つのセンサ毎に、測定された周辺の温度を取得する手順、
算出された、前記センサ１用補正係数または前記センサ２用補正係数を温度毎にそれぞれ温度別補正係数記憶装置に記憶する手順、
取得された各前記センサの周辺の前記温度に対応する補正係数を前記温度別補正係数記憶装置から取得する手順、
取得した各センサ用補正係数を用いて前記各センサの前記計測値を補正する手順、
前記温度別補正係数記憶装置に前記温度に対応する前記各センサの前記補正係数が記憶されていない場合、当該補正係数を算出する手順、
算出された前記補正係数を前記温度に対応付けて前記温度別補正係数記憶装置に記憶する手順をコンピュータに実行させるためのプログラム。
５２．  ３０．から４１．いずれか一つに記載のプログラムにおいて、
前記第１の電力量計の周辺の温度を測定する温度測定装置から、測定された周辺の温度を取得する手順、
前記補正係数を温度毎に温度別補正係数記憶装置にそれぞれ記憶する手順、
取得された前記第１の電力量計の周辺の前記温度に対応する補正係数を前記温度別補正係数記憶装置から取得する手順、
取得した前記補正係数を用いて前記第１の電力量計の前記計測値を補正する手順、
前記温度別補正係数記憶装置に前記温度に対応する前記第１の電力量計の前記補正係数が記憶されていない場合、当該補正係数を算出する手順、
算出された前記補正係数を前記温度に対応付けて前記温度別補正係数記憶装置に記憶する手順をコンピュータに実行させるためのプログラム。
５３．  ５１．または５２．に記載のプログラムにおいて、
前記電力ラインに入出力される電力を計測する内部センサの周辺の温度を取得する手順
算出された前記補正係数を温度毎に前記温度別補正係数記憶装置に記憶する手順
取得された前記内部センサの周辺の前記温度に対応する補正係数を前記温度別補正係数記憶装置から取得する手順、
取得した前記補正係数を用いて前記電力ラインに入出力される電力を補正する手順、
前記温度別補正係数記憶装置に前記温度に対応する前記補正係数が記憶されていない場合、当該補正係数を算出する手順、
算出された補正係数を前記温度に対応付けて前記温度別補正係数記憶装置に記憶する手順をコンピュータに実行させるためのプログラム。
５４．  ３０．から５３．いずれか一つに記載のプログラムにおいて、
単位時間当たりの周辺の温度変化が第１閾値以上の場合、前記計測値を取得、前記指示値を取得、および前記補正係数を算出する前記所定期間を短くする手順、
単位時間当たりの周辺の前記温度変化が前記第１閾値より小さい第２閾値未満の場合、前記計測値を取得、前記指示値を取得、および前記補正係数を算出する前記所定期間を長くする手順をコンピュータに実行させるためのプログラム。
５５．  ３０．から５４．いずれか一つに記載のプログラムにおいて、
前記計測値として複数の電力瞬時値を取得する際、
取得された前記計測値の変動幅または前記計測値に対する変動割合が第１所定値未満の場合、または、周辺温度の変動幅が第３所定値未満の場合、前記所定期間内に取得する前記計測値の個数を減らす、あるいは、各前記計測値を取得する間隔を長くする手順、
取得された前記計測値の変動幅または前記計測値に対する変動割合が第１所定値より大きい第２所定値以上の場合、または、前記周辺温度の変動幅が第３所定値より大きい第４所定値以上の場合、前記所定期間内に取得する前記計測値の個数を増やす、あるいは、各前記計測値を取得する間隔を短くする手順をコンピュータに実行させるためのプログラム。
５６．  ３０．から５５．いずれか一つに記載のプログラムにおいて、
算出された前記補正係数を用いて前記指示値を補正する手順、
前記電力ラインと、前記蓄電装置との間に電気的に接続される制御装置に、補正された前記指示値を送信する手順をコンピュータに実行させるためのプログラム。
５７．  ３０．から５６．いずれか一つに記載のプログラムにおいて、
前記指示値と、前記電力ラインに入出力される電力を計測する内部センサの計測値を用いて、前記電力ラインに入出力される電力を制御する手順をコンピュータに実行させるためのプログラム。
５８．  ５７．に記載のプログラムにおいて、
算出された前記補正係数を用いて、前記指示値を補正する手順をコンピュータに実行させるためのプログラム。
【０３０２】
５９．  情報処理装置と、
電力系統と負荷の間の電力ラインに流れる電力を計測する計測手段と、を備え、
前記情報処理装置は、
前記計測手段から計測値を取得する計測値取得手段と、
蓄電装置から前記電力ラインに入出力すべき電力を示す指示値を取得する指示値取得手段と、
前記指示値に従い、前記電力ラインに入出力される前記電力を制御する制御手段と、
前記指示値に従い前記蓄電装置から入出力される電力が制御されて前記電力ラインに入出力されたとき、前記計測値が、対応する前記指示値になるように、前記指示値を補正する補正係数を算出する算出手段と、を備え、
前記制御手段は、算出された前記補正係数を用いて、前記電力ラインに入出力される電力を制御する電力調整システム。
６０．  ５９．に記載に電力調整システムにおいて、
前記算出手段は、所定期間毎に前記補正係数を算出する電力調整システム。
６１．  ５９．または６０．に記載の電力調整システムにおいて、
前記計測値取得手段は、前記計測値として、前記電力ラインに入出力される前記電力の積算電力量を計測する第１の電力量計から所定期間毎の前記積算電力量を取得し、
前記算出手段は、前記積算電力量が所定値を超えた場合に、前記積算電力量と、前記指示値を前記所定期間、積算した積算指示値とが所定の関係を満たす補正係数を求める電力調整システム。
６２．  ６１．に記載の電力調整システムにおいて、
前記算出手段は、前記積算指示値を前記積算電力量で除して前記補正係数を算出する電力調整システム。
６３．  ６１．または６２．に記載の電力調整システムにおいて、
前記所定値は、前記第１の電力量計の前記計測値の有効桁数の所定倍数である電力調整システム。
６４．  ５９．から６３．いずれか一つに記載の電力調整システムにおいて、
前記計測手段は、前記電力ラインに入出力される前記電力の電力瞬時値を計測する第１の電力量計を有し、
前記計測値取得手段は、前記第１の電力量計から前記計測値として少なくとも一つの前記電力瞬時値を取得し、
前記指示値取得手段は、前記計測値取得手段が少なくとも一つの前記電力瞬時値を取得した時の少なくとも一つの前記指示値を取得し、
前記算出手段は、前記第１の電力量計から取得した少なくとも一つの前記電力瞬時値、および当該電力瞬時値に対応する前記指示値を用いて前記補正係数を算出する電力調整システム。
６５．  ６４．に記載の電力調整システムにおいて、
前記算出手段は、
前記第１の電力量計から取得した複数の前記電力瞬時値の平均値と、複数の前記指示値の平均値とが所定の関係を満たす前記補正係数を求める電力調整システム。
６６．  ６５．に記載の電力調整システムにおいて、
前記算出手段は、
前記第１の電力量計から取得した複数の前記電力瞬時値の積算値と、複数の前記指示値の積算値とが所定の関係を満たす前記補正係数を求める電力調整システム。
６７．  ６４．から６６．いずれか一つに記載の電力調整システムにおいて、
前記算出手段は、前記指示値、前記指示値の平均値または積算値を前記電力瞬時値、前記電力瞬時値の平均値または積算値で除して前記補正係数を算出する電力調整システム。
６８．  ６１．から６７．いずれか一つに記載の電力調整システムにおいて、
前記計測値取得手段は、前記第１の電力量計から通信により前記計測値を取得する電力調整システム。
６９．  ６１．から６８．いずれか一つに記載の電力調整システムにおいて、
前記電力ラインに入出力される電力に対応する、前記算出手段により算出された前記補正係数を関連付けて記憶する電力別補正係数記憶装置を備える電力調整システム。
７０．  ６９．に記載の電力調整システムにおいて、
所定設定期間毎に、複数の異なる所定の一定値に設定された前記指示値に従い、前記電力ラインに入出力される電力を前記所定設定期間毎に、前記複数の異なる所定の一定値とした時に、
前記計測値取得手段が、前記入出力される電力が前記複数の異なる所定の一定値となった前記所定設定期間の前記積算電力量を前記第１の電力量計からそれぞれ取得し、
前記算出手段が、前記積算電力量が前記所定設定期間毎の前記積算電力量が対応する前記指示値を所定期間毎に積算した前記積算指示値となるように、前記補正係数を算出し、
前記電力別補正係数記憶装置は、算出された複数の前記補正係数を、複数の前記異なる所定の一定値に設定された前記指示値がそれぞれ示す複数の前記電力に関連付けて記憶する電力調整システム。
７１．  ５９．から７０．いずれか一つに記載の電力調整システムにおいて、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記計測手段は、
前記電力系統から需要家宅に供給される電力を計測する第２の電力量計と、
前記第１電力ラインの電力瞬時値を計測する第１センサと、
前記第２電力ラインの電力瞬時値を計測する第２センサと、を有し、
前記計測値取得手段は、前記第１センサと、前記第２センサから、前記第１センサと前記第２センサの各々について少なくとも一つの電力瞬時値を前記計測値としてそれぞれ取得し、
前記指示値取得手段は、前記第１センサおよび前記第２センサの各々について少なくとも一つの前記計測値を取得した時の少なくとも一つの前記指示値を取得し、
前記算出手段は、
前記第１センサおよび前記第２センサの各々について少なくとも一つの前記電力瞬時値と、当該計測値に対応する前記指示値とを用いて前記補正係数を算出する電力調整システム。
７２．  ７１．に記載の電力調整システムにおいて、
前記算出手段は、
前記第１センサおよび前記第２センサの各々について複数の前記電力瞬時値の平均値と、複数の前記計測値に対応する前記指示値の平均値をそれぞれ算出し、
複数の前記電力瞬時値の平均値と、複数の前記指示値の平均値とが所定の関係を満たす前記補正係数を求める電力調整システム。
７３．  ７２．に記載の電力調整システムにおいて、
前記算出手段は、
前記第１センサおよび前記第２センサの各々について複数の前記電力瞬時値の積算値と、複数の前記計測値に対応する前記指示値の積算値をそれぞれ算出し、
複数の前記電力瞬時値の積算値と、複数の前記指示値の積算値とが所定の関係を満たす前記補正係数を求める電力調整システム。
７４．  ７１．から７３．いずれか一つに記載の電力調整システムにおいて、
前記電力ラインへの電力の入出力を停止する入出力停止制御手段をさらに備え、
前記計測値取得手段は、前記入出力停止制御手段により、前記電力ラインへの電力の入出力が停止されたとき、前記電力系統から前記電力ラインに供給される電力を計測する第２の電力量計、前記第１センサおよび前記第２センサから前記計測値をそれぞれ取得し、
前記算出手段は、前記第２の電力量計、前記第１センサおよび前記第２センサの前記計測値を用いて、前記第１センサおよび前記第２センサの前記計測値が、対応する前記第２の電力量計の前記計測値にそれぞれなるように、前記第１センサおよび前記第２センサの前記計測値を補正する第１センサ用補正係数および第２センサ用補正係数をそれぞれ算出し、
前記計測値取得手段は、前記第１センサ用補正係数および前記第２センサ用補正係数をそれぞれ用いて前記第１センサおよび前記第２センサの前記計測値をそれぞれ補正し、
前記算出手段は、前記第１センサおよび前記第２センサの補正された前記計測値を用いて、前記補正係数を算出する電力調整システム。
７５．  ７４．記載の電力調整システムにおいて、
前記計測値取得手段は、前記第２の電力量計から通信により前記計測値を取得する電力調整システム。
７６．  ５９．または６０．に記載の電力調整システムにおいて、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記計測手段は、前記電力系統から前記電力ラインに供給される電力を計測する第２の電力量計を有し、
前記計測値取得手段が、前記第２の電力量計と、前記第２電力ラインの電力瞬時値を計測する第２センサから電力瞬時値を前記計測値としてそれぞれ少なくとも一つずつ取得し、
前記指示値取得手段は、前記第２の電力量計および前記第２センサの各々について少なくとも一つの前記計測値を取得した時の前記指示値を取得し、
前記算出手段は、
前記第２の電力量計および前記第２センサの各々について少なくとも一つの前記電力瞬時値と、少なくとも一つの前記計測値に対応する前記指示値とを用いて前記補正係数を算出する電力調整システム。
７７．  ７６．に記載の電力調整システムにおいて、
前記算出手段は、
前記第２の電力量計および前記第２センサの各々について複数の前記電力瞬時値の平均値と、複数の前記計測値に対応する前記指示値の平均値をそれぞれ算出し、
複数の前記電力瞬時値の平均値と、複数の前記指示値の平均値とが所定の関係を満たす前記補正係数を求める電力調整システム。
７８．  ７６．に記載の電力調整システムにおいて、
前記算出手段は、
前記第２の電力量計および前記第２センサの各々について複数の前記電力瞬時値の積算値と、複数の前記計測値に対応する前記指示値の積算値をそれぞれ算出し、
複数の前記電力瞬時値の積算値と、複数の前記指示値の積算値とが所定の関係を満たす前記補正係数を求める電力調整システム。
７９．  ７６．から７８．いずれか一つに記載の電力調整システムにおいて、
前記電力ラインへの電力の入出力を停止する入出力停止制御手段をさらに備え、
前記計測値取得手段は、前記入出力停止制御手段により、前記電力ラインへの電力の入出力が停止されたとき、前記第２の電力量計および前記第２センサから前記計測値をそれぞれ取得し、
前記算出手段は、前記第２の電力量計および前記第２センサの前記計測値を用いて、前記第２センサの前記計測値が、対応する前記第２の電力量計の前記計測値にそれぞれなるように、前記第２センサの前記計測値を補正する第２センサ用補正係数を算出し、
前記計測値取得手段は、前記第２センサ用補正係数をそれぞれ用いて前記第２センサの前記計測値をそれぞれ補正し、
前記算出手段は、前記第２センサの補正された前記計測値を用いて、前記補正係数を算出する電力調整システム。
８０．  ７４．から７９．いずれか一つに記載の電力調整システムにおいて、
前記第１センサおよび前記第２センサの少なくともいずれか一つのセンサ毎に、測定された周辺の温度を取得する温度取得手段と、
前記算出手段により算出された、前記センサ１用補正係数または前記センサ２用補正係数を温度毎にそれぞれ記憶する温度別補正係数記憶装置と、をさらに備え、
前記計測値取得手段は、前記温度取得手段により取得された各前記センサの周辺の前記温度に対応する補正係数を前記温度別補正係数記憶装置から取得し、取得した各センサ用補正係数を用いて前記各センサの前記計測値を補正し、
前記温度別補正係数記憶装置に前記温度に対応する前記各センサの前記補正係数が記憶されていない場合、前記算出手段は、当該補正係数を算出し、
前記温度別補正係数記憶装置は、算出された前記補正係数を前記温度に対応付けて記憶する電力調整システム。
８１．  ５９．から７０．いずれか一つに記載の電力調整システムにおいて、
前記第１の電力量計の周辺の温度を測定する温度測定装置から、測定された周辺の温度を取得する温度取得手段と、
前記算出手段により算出された、前記補正係数を温度毎にそれぞれ記憶する温度別補正係数記憶装置と、をさらに備え、
前記計測値取得手段は、前記温度取得手段により取得された前記第１の電力量計の周辺の前記温度に対応する補正係数を前記温度別補正係数記憶装置から取得し、取得した前記補正係数を用いて前記第１の電力量計の前記計測値を補正し、
前記温度別補正係数記憶装置に前記温度に対応する前記第１の電力量計の前記補正係数が記憶されていない場合、前記算出手段は、当該補正係数を算出し、
前記温度別補正係数記憶装置は、算出された前記補正係数を前記温度に対応付けて記憶する電力調整システム。
８２．  ８０．または８１．に記載の電力調整システムにおいて、
前記温度取得手段は、前記電力ラインに入出力される電力を計測する内部センサの周辺の温度を取得し、
前記温度別補正係数記憶装置は、前記算出手段により算出された前記補正係数を温度毎に記憶し、
前記制御手段は、前記温度取得手段により取得された前記内部センサの周辺の前記温度に対応する補正係数を前記温度別補正係数記憶装置から取得し、取得した前記補正係数を用いて前記電力ラインに入出力される電力を補正し、
前記温度別補正係数記憶装置に前記温度に対応する前記補正係数が記憶されていない場合、前記算出手段は、当該補正係数を算出し、
前記温度別補正係数記憶装置は、算出された補正係数を前記温度に対応付けて記憶する電力調整システム。
８３．  ５９．から８２．いずれか一つに記載の電力調整システムにおいて、
前記計測値取得手段、前記指示値取得手段、および前記算出手段は、
単位時間当たりの周辺の温度変化が第１閾値以上の場合、前記計測値を取得、前記指示値を取得、および前記補正係数を算出する前記所定期間を短くし、
単位時間当たりの周辺の前記温度変化が前記第１閾値より小さい第２閾値未満の場合、前記計測値を取得、前記指示値を取得、および前記補正係数を算出する前記所定期間を長くする電力調整システム。
８４．  ５９．から８３．いずれか一つに記載の電力調整システムにおいて、
前記計測値取得手段が、前記計測値として複数の電力瞬時値を取得する際、
前記計測値取得手段は、
取得された前記計測値の変動幅または前記計測値に対する変動割合が第１所定値未満の場合、または、周辺温度の変動幅が第３所定値未満の場合、前記所定期間内に取得する前記計測値の個数を減らす、あるいは、各前記計測値を取得する間隔を長くし、
取得された前記計測値の変動幅または前記計測値に対する変動割合が第１所定値より大きい第２所定値以上の場合、または、前記周辺温度の変動幅が第３所定値より大きい第４所定値以上の場合、前記所定期間内に取得する前記計測値の個数を増やす、あるいは、各前記計測値を取得する間隔を短くする電力調整システム。
８５．  ５９．から８４．いずれか一つに記載の電力調整システムにおいて、
算出された前記補正係数を用いて前記指示値を補正する補正手段と、
前記電力ラインと、前記蓄電装置との間に電気的に接続される制御装置に、補正された前記指示値を送信する送信手段と、を備える電力調整システム。
８６．  ５９．から８５．いずれか一つに記載の電力調整システムにおいて、
前記電力ラインに入出力される電力を計測する内部センサと、
前記指示値と前記内部センサの計測値を用いて、前記電力ラインに入出力される電力を制御する制御手段と、を備える電力調整システム。
８７．  ８６．に記載の電力調整システムにおいて、
前記制御手段は、算出された前記補正係数を用いて、前記指示値を補正する情報処理装置。
８８．  電力系統と負荷の間の電力ラインに流れる電力に関する計測値を取得する計測値取得手段と、
蓄電装置から前記電力ラインに入出力すべき電力を示す指示値を取得する指示値取得手段と、
前記指示値に従い前記蓄電装置から入出力される電力が制御されて前記電力ラインに入出力されたとき、前記計測値が対応する前記指示値になるように、前記指示値を補正する補正係数を算出する算出手段と、を備える情報処理装置。
８９．  ８８．に記載に情報処理装置において、
前記算出手段は、所定期間毎に前記補正係数を算出する情報処理装置。
９０．  ８８．または８９．に記載の情報処理装置において、
前記計測値取得手段は、前記計測値として、前記電力ラインに入出力される前記電力の積算電力量を計測する第１の電力量計から所定期間毎の前記積算電力量を取得し、
前記算出手段は、前記積算電力量が所定値を超えた場合に、前記積算電力量と、前記指示値を前記所定期間、積算した積算指示値とが所定の関係を満たす補正係数を求める情報処理装置。
９１．  ９０．に記載の情報処理装置において、
前記算出手段は、前記積算指示値を前記積算電力量で除して前記補正係数を算出する情報処理装置。
９２．  ９０．または９１．に記載の情報処理装置において、
前記所定値は、前記第１の電力量計の前記計測値の有効桁数の所定倍数である情報処理装置。
９３．  ８８．から９２．いずれか一つに記載の情報処理装置において、
前記計測値取得手段は、前記電力ラインに入出力される前記電力の電力瞬時値を計測する第１の電力量計から前記計測値として少なくとも一つの前記電力瞬時値を取得し、
前記指示値取得手段は、前記計測値取得手段が少なくとも一つの前記電力瞬時値を取得した時の少なくとも一つの前記指示値を取得し、
前記算出手段は、前記第１の電力量計から取得した少なくとも一つの前記電力瞬時値、および当該電力瞬時値に対応する前記指示値を用いて前記補正係数を算出する情報処理装置。
９４．  ９３．に記載の情報処理装置において、
前記算出手段は、
前記第１の電力量計から取得した複数の前記電力瞬時値の平均値と、複数の前記指示値の平均値とが所定の関係を満たす前記補正係数を求める情報処理装置。
９５．  ９３．に記載の情報処理装置において、
前記算出手段は、
前記第１の電力量計から取得した複数の前記電力瞬時値の積算値と、複数の前記指示値の積算値とが所定の関係を満たす前記補正係数を求める情報処理装置。
９６．  ９３．から９５．いずれか一つに記載の情報処理装置において、
前記算出手段は、前記指示値、前記指示値の平均値または積算値を前記電力瞬時値、前記電力瞬時値の平均値または積算値で除して前記補正係数を算出する情報処理装置。
９７．  ９０．から９６．いずれか一つに記載の情報処理装置において、
前記計測値取得手段は、前記第１の電力量計から通信により前記計測値を取得する情報処理装置。
９８．  ９０．から９７．いずれか一つに記載の情報処理装置において、
前記電力ラインに入出力される電力に対応する、前記算出手段により算出された前記補正係数を関連付けて記憶する電力別補正係数記憶手段を備える情報処理装置。
９９．  ９８．に記載の情報処理装置において、
所定設定期間毎に、複数の異なる所定の一定値に設定された前記指示値に従い、前記電力ラインに入出力される電力を前記所定設定期間毎に、前記複数の異なる所定の一定値とした時に、
前記計測値取得手段が、前記入出力される電力が前記複数の異なる所定の一定値となった前記所定設定期間の前記積算電力量を前記第１の電力量計からそれぞれ取得し、
前記算出手段が、前記積算電力量が前記所定設定期間毎の前記積算電力量が対応する前記指示値を所定期間毎に積算した前記積算指示値となるように、前記補正係数を算出し、
前記電力別補正係数記憶手段は、算出された複数の前記補正係数を、複数の前記異なる所定の一定値に設定された前記指示値がそれぞれ示す複数の前記電力に関連付けて記憶する情報処理装置。
１００．  ８８．から９９．いずれか一つに記載の情報処理装置において、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記計測値取得手段は、前記第１電力ラインの電力瞬時値を計測する第１センサと、前記第２電力ラインの電力瞬時値を計測する第２センサから、前記第１センサと前記第２センサの各々について少なくとも一つの電力瞬時値を前記計測値としてそれぞれ取得し、
前記指示値取得手段は、前記第１センサおよび前記第２センサの各々について少なくとも一つの前記計測値を取得した時の少なくとも一つの前記指示値を取得し、
前記算出手段は、
前記第１センサおよび前記第２センサの各々について少なくとも一つの前記電力瞬時値と、当該計測値に対応する前記指示値とを用いて前記補正係数を算出する情報処理装置。
１０１．  １００．に記載の情報処理装置において、
前記算出手段は、
前記第１センサおよび前記第２センサの各々について複数の前記電力瞬時値の平均値と、複数の前記計測値に対応する前記指示値の平均値をそれぞれ算出し、
複数の前記電力瞬時値の平均値と、複数の前記指示値の平均値とが所定の関係を満たす前記補正係数を求める情報処理装置。
１０２．  １００．に記載の情報処理装置において、
前記算出手段は、
前記第１センサおよび前記第２センサの各々について複数の前記電力瞬時値の積算値と、複数の前記計測値に対応する前記指示値の積算値をそれぞれ算出し、
複数の前記電力瞬時値の積算値と、複数の前記指示値の積算値とが所定の関係を満たす前記補正係数を求める情報処理装置。
１０３．  １００．から１０２．いずれか一つに記載の情報処理装置において、
前記電力ラインへの電力の入出力を停止する入出力停止制御手段をさらに備え、
前記計測値取得手段は、前記入出力停止制御手段により、前記電力ラインへの電力の入出力が停止されたとき、前記電力系統から前記電力ラインに供給される電力を計測する第２の電力量計、前記第１センサおよび前記第２センサから前記計測値をそれぞれ取得し、
前記算出手段は、前記第２の電力量計、前記第１センサおよび前記第２センサの前記計測値を用いて、前記第１センサおよび前記第２センサの前記計測値が、対応する前記第２の電力量計の前記計測値にそれぞれなるように、前記第１センサおよび前記第２センサの前記計測値を補正する第１センサ用補正係数および第２センサ用補正係数をそれぞれ算出し、
前記計測値取得手段は、前記第１センサ用補正係数および前記第２センサ用補正係数をそれぞれ用いて前記第１センサおよび前記第２センサの前記計測値をそれぞれ補正し、
前記算出手段は、前記第１センサおよび前記第２センサの補正された前記計測値を用いて、前記補正係数を算出する情報処理装置。
１０４．  １０３．に記載の情報処理装置において、
前記計測値取得手段は、前記第２の電力量計から通信により前記計測値を取得する情報処理装置。
１０５．  ８８．または８９．に記載の情報処理装置において、
前記電力ラインと、前記蓄電装置との間に電気的に接続される制御装置が、前記指示値に従い制御した電力を前記電力ラインに入出力し、
前記電力ラインは、前記電力系統と前記制御装置の間の第１電力ラインと前記制御装置と前記負荷の間の第２電力ラインを含み、
前記計測値取得手段が、前記電力系統から前記電力ラインに供給される電力を計測する第２の電力量計と、前記第２電力ラインの電力瞬時値を計測する第２センサから電力瞬時値を前記計測値としてそれぞれ少なくとも一つずつ取得し、
前記指示値取得手段は、前記第２の電力量計および前記第２センサの各々について少なくとも一つの前記計測値を取得した時の前記指示値を取得し、
前記算出手段は、
前記第２の電力量計および前記第２センサの各々について少なくとも一つの前記電力瞬時値と、少なくとも一つの前記計測値に対応する前記指示値とを用いて前記補正係数を算出する情報処理装置。
１０６．  １０５．に記載の情報処理装置において、
前記算出手段は、
前記第２の電力量計および前記第２センサの各々について複数の前記電力瞬時値の平均値と、複数の前記計測値に対応する前記指示値の平均値をそれぞれ算出し、
複数の前記電力瞬時値の平均値と、複数の前記指示値の平均値とが所定の関係を満たす前記補正係数を求める情報処理装置。
１０７．  １０５．に記載の情報処理装置において、
前記算出手段は、
前記第２の電力量計および前記第２センサの各々について複数の前記電力瞬時値の積算値と、複数の前記計測値に対応する前記指示値の積算値をそれぞれ算出し、
複数の前記電力瞬時値の積算値と、複数の前記指示値の積算値とが所定の関係を満たす前記補正係数を求める情報処理装置。
１０８．  １０５．から１０７．いずれか一つに記載の情報処理装置において、
前記電力ラインへの電力の入出力を停止する入出力停止制御手段をさらに備え、
前記計測値取得手段は、前記入出力停止制御手段により、前記電力ラインへの電力の入出力が停止されたとき、前記第２の電力量計および前記第２センサから前記計測値をそれぞれ取得し、
前記算出手段は、前記第２の電力量計および前記第２センサの前記計測値を用いて、前記第２センサの前記計測値が、対応する前記第２の電力量計の前記計測値にそれぞれなるように、前記第２センサの前記計測値を補正する第２センサ用補正係数を算出し、
前記計測値取得手段は、前記第２センサ用補正係数をそれぞれ用いて前記第２センサの前記計測値をそれぞれ補正し、
前記算出手段は、前記第２センサの補正された前記計測値を用いて、前記補正係数を算出する情報処理装置。
１０９．  １０３．から１０８．いずれか一つに記載の情報処理装置において、
前記第１センサおよび前記第２センサの少なくともいずれか一つのセンサ毎に、測定された周辺の温度を取得する温度取得手段と、
前記算出手段により算出された、前記センサ１用補正係数または前記センサ２用補正係数を温度毎にそれぞれ記憶する温度別補正係数記憶手段と、をさらに備え、
前記計測値取得手段は、前記温度取得手段により取得された各前記センサの周辺の前記温度に対応する補正係数を前記温度別補正係数記憶手段から取得し、取得した各センサ用補正係数を用いて前記各センサの前記計測値を補正し、
前記温度別補正係数記憶手段に前記温度に対応する前記各センサの前記補正係数が記憶されていない場合、前記算出手段は、当該補正係数を算出し、
前記温度別補正係数記憶手段は、算出された前記補正係数を前記温度に対応付けて記憶する情報処理装置。
１１０．  ９０．から９９．いずれか一つに記載の情報処理装置において、
前記第１の電力量計の周辺の温度を測定する温度測定装置から、測定された周辺の温度を取得する温度取得手段と、
前記算出手段により算出された、前記補正係数を温度毎にそれぞれ記憶する温度別補正係数記憶手段と、をさらに備え、
前記計測値取得手段は、前記温度取得手段により取得された前記第１の電力量計の周辺の前記温度に対応する補正係数を前記温度別補正係数記憶手段から取得し、取得した前記補正係数を用いて前記第１の電力量計の前記計測値を補正し、
前記温度別補正係数記憶手段に前記温度に対応する前記第１の電力量計の前記補正係数が記憶されていない場合、前記算出手段は、当該補正係数を算出し、
前記温度別補正係数記憶手段は、算出された前記補正係数を前記温度に対応付けて記憶する情報処理装置。
１１１．  １０９．または１１０．に記載の情報処理装置において、
前記温度取得手段は、前記電力ラインに入出力される電力を計測する内部センサの周辺の温度を取得し、
前記温度別補正係数記憶手段は、前記算出手段により算出された前記補正係数を温度毎に記憶し、
前記電力ラインと、前記蓄電装置との間に電気的に接続される制御装置は、前記温度取得手段により取得された前記内部センサの周辺の前記温度に対応する補正係数を前記温度別補正係数記憶手段から取得し、取得した前記補正係数を用いて前記電力ラインに入出力される電力を補正し、
前記温度別補正係数記憶手段に前記温度に対応する前記補正係数が記憶されていない場合、前記算出手段は、当該補正係数を算出し、
前記温度別補正係数記憶手段は、算出された補正係数を前記温度に対応付けて記憶する情報処理装置。
１１２．  ８８．から１１１．いずれか一つに記載の情報処理装置において、
前記計測値取得手段、前記指示値取得手段、および前記算出手段は、
単位時間当たりの周辺の温度変化が第１閾値以上の場合、前記計測値を取得、前記指示値を取得、および前記補正係数を算出する前記所定期間を短くし、
単位時間当たりの周辺の前記温度変化が前記第１閾値より小さい第２閾値未満の場合、前記計測値を取得、前記指示値を取得、および前記補正係数を算出する前記所定期間を長くする情報処理装置。
１１３．  ８８．から１１２．いずれか一つに記載の情報処理装置において、
前記計測値取得手段が、前記計測値として複数の電力瞬時値を取得する際、
前記計測値取得手段は、
取得された前記計測値の変動幅または前記計測値に対する変動割合が第１所定値未満の場合、または、周辺温度の変動幅が第３所定値未満の場合、前記所定期間内に取得する前記計測値の個数を減らす、あるいは、各前記計測値を取得する間隔を長くし、
取得された前記計測値の変動幅または前記計測値に対する変動割合が第１所定値より大きい第２所定値以上の場合、または、前記周辺温度の変動幅が第３所定値より大きい第４所定値以上の場合、前記所定期間内に取得する前記計測値の個数を増やす、あるいは、各前記計測値を取得する間隔を短くする情報処理装置。
１１４．  ８８．から１１３．いずれか一つに記載の情報処理装置において、
算出された前記補正係数を用いて前記指示値を補正する補正手段と、
前記電力ラインと、前記蓄電装置との間に電気的に接続される制御装置に、補正された前記指示値を送信する送信手段と、を備える情報処理装置。
１１５．  ８８．から１１４．いずれか一つに記載の情報処理装置において、
前記電力ラインに入出力される電力を計測する内部センサと、
前記指示値と前記内部センサの計測値を用いて、前記電力ラインに入出力される電力を制御する制御手段と、を備える情報処理装置。
１１６．  １１５．に記載の情報処理装置において、
前記制御手段は、算出された前記補正係数を用いて、前記指示値を補正する情報処理装置。
【符号の説明】
【０３０３】
１  電力調整システム
３  管理装置
５  サーバ
７  ネットワーク
１０  電力系統
１２  負荷
２０  電力ライン
２０ａ  第１電力ライン
２０ｂ  第２電力ライン
２２  電力ライン
４０  蓄電池
４２  ＰＣＳ
５０  制御装置
５２  温度別補正係数データベース
５４  電力別補正係数データベース
８０  コンピュータ
８２  ＣＰＵ
８４  メモリ
８５  ストレージ
８６  Ｉ／Ｏ
８７  通信Ｉ／Ｆ
８９  バス
９０  コンピュータプログラム
１００  情報処理装置
１０２  計測値取得部
１０４  指示値取得部
１０６  算出部
１０８  制御部
１１０  記憶装置
１１２  計測値記憶部
１１４  電力積算値記憶部
１１６  指示値記憶部 
１１８  積算指示値記憶部
１２２  電力瞬時値記憶部
１２４  平均値記憶部
１２６  補正係数記憶部
１３０  計測値記憶部
１３２  平均値記憶部
１３４  電力瞬時値記憶部
１３６  積算電力量記憶部
１５２  温度取得部
１５４  第１温度別補正係数テーブル
１５６  温度別補正係数テーブル
１５６  第２温度別補正係数テーブル
１６２  データベース構築部
１６４  電力別補正係数テーブル
２０２  補正部
２０４  送信部
Ｍ１  第１スマートメータ
Ｍ２  第２スマートメータ
Ｓ０  内部センサ
Ｓ１  第１センサ
Ｓ２  第２センサ
【図１】
0006747060.tif 000005
【図２】
0006747060.tif 000006
【図３】
0006747060.tif 000007
【図４】
0006747060.tif 000008
【図５】
0006747060.tif 000009
【図６】
0006747060.tif 000010
【図７】
0006747060.tif 000011
【図８】
0006747060.tif 000012
【図９】
0006747060.tif 000013
【図１０】
0006747060.tif 000014
【図１１】
0006747060.tif 000015
【図１２】
0006747060.tif 000016
【図１３】
0006747060.tif 000017
【図１４】
0006747060.tif 000018
【図１５】
0006747060.tif 000019
【図１６】
0006747060.tif 000020
【図１７】
0006747060.tif 000021
【図１８】
0006747060.tif 000022
【図１９】
0006747060.tif 000023
【図２０】
0006747060.tif 000024
【図２１】
0006747060.tif 000025
【図２２】
0006747060.tif 000026
【図２３】
0006747060.tif 000027
【図２４】
0006747060.tif 000028
【図２５】
0006747060.tif 000029
【図２６】
0006747060.tif 000030
【図２７】
0006747060.tif 000031
【図２８】
0006747060.tif 000032
【図２９】
0006747060.tif 000033
【図３０】
0006747060.tif 000034
【図３１】
0006747060.tif 000035
【図３２】
0006747060.tif 000036
【図３３】
0006747060.tif 000037
【図３４】
0006747060.tif 000038